(57)【要約】  遅延波による干渉電力や対象外の他端末や基地局からの信号による干渉電力やノイズ電力に基づき、信号品質をより正確に表す指標を得るために、信号成分と他セルの端末や基地局等からの干渉成分や自セル内の他端末からの干渉成分やノイズ成分との電力比である信号電力対干渉電力比１（ＤＵＲ１とする）と、信号成分と遅延波に起因するシンボル間干渉成分やキャリア間干渉成分との電力比である信号電力対干渉電力比２（ＤＵＲ２とする）との組合せを信号品質の指標に含める。伝搬路応答推定部１０は、受信信号と予め保有しているパイロットシンボルから伝搬路応答を算出し、信号電力対干渉電力比２推定部１５は、上記伝搬路応答を用いてＤＵＲ２を推定する。信号電力対干渉電力比１推定部１６は、バースト内のパイロットシンボルを用いてＤＵＲ１を推定する。変調条件選択部１１は、ＤＵＲ１とＤＵＲ２を用いて、適用するべき伝送パラメータを決定する。【特許請求の範囲】
【請求項１】
受信信号に基づいて、他セルからの干渉成分や自セル内の他端末からの干渉成分やノイズ成分を含む第１の干渉成分を用いた信号電力と干渉電力の比である第１の信号電力対干渉電力比を取得する第１の手段と、
上記受信信号に基づいて、遅延波による第２の干渉成分を用いた信号電力と干渉電力の比である第２の信号電力対干渉電力比を取得する第２の手段と、
上記第１の信号電力対干渉電力比と第２の信号電力対干渉電力比とにより適用するべき変調方式を含む伝送パラメータを決定する変調条件選択部と、
この決定した伝送パラメータを用いて伝送するべき情報データ系列を変調する変調部と、
受信信号から相手局が変調に用いた伝送パラメータと情報データ系列を抽出し、この抽出した伝送パラメータを用いて上記抽出した情報データ系列を復調する復調部と、
を備えたことを特徴とする通信装置。
【請求項２】
上記第２の手段は、上記受信信号に含まれる先行波の信号成分と、遅れ量がガードインターバル長以内の遅延波の信号成分とから成る合成信号成分の電力を上記第２の信号電力対干渉電力の信号電力として用いることを特徴とする請求項１に記載の通信装置。
【請求項３】
上記第２の干渉成分は、遅延波の遅れ量がガードインターバル長を超える場合の上記遅延波の他シンボルによるシンボル間干渉成分と、上記遅延波の遅れ量がガードインターバル長を超える場合の上記遅延波の自シンボルによるキャリア間干渉成分との少なくとも一方であることを特徴とする請求項１に記載の通信装置。
【請求項４】
上記第１の手段は、自局が送信した信号に含まれる複数の既知情報に基づき相手局が算出した第１の信号電力対干渉電力比を含ませて相手局が送信した信号から、上記第１の信号電力対干渉電力比を抽出することを特徴とする請求項１に記載の通信装置。
【請求項５】
上記第２の手段は、自局が送信した信号と、相手局が予め保有する、この信号に含まれる第１の既知情報と同じか略同一である第２の既知情報とに基づき相手局が算出した第２の信号電力対干渉電力比を含ませて相手局が送信した信号から、上記第２の信号電力対干渉電力比を抽出することを特徴とする請求項１に記載の通信装置。
【請求項６】
上記第１の手段は、受信信号に含まれる複数の既知情報に基づき、上記第１の信号電力対干渉電力比を算出することを特徴とする請求項１に記載の通信装置。
【請求項７】
受信信号に含まれる第１の既知情報と、予め保有する、上記第１の既知情報と同じか略同一である第２の既知情報とに基づき伝搬路応答を算出する伝搬路応答推定部をさらに備え、
上記第２の手段は、上記伝搬路応答推定部が算出した伝搬路応答に基づき、上記第２の信号電力対干渉電力比を算出することを特徴とする請求項１に記載の通信装置。
【請求項８】
上記伝搬路応答推定部は、上記伝搬路応答と予め保有する閾値を比較し、上記閾値よりも大きい伝搬路応答を出力することを特徴とする請求項７に記載の通信装置。
【請求項９】
上記第２の手段は、受信信号に含まれる先行波の信号成分と遅れ量がガードインターバル長以内の遅延波の信号成分とから成る合成信号成分に、遅れ量がガードインターバル長を超えた遅延波に含まれる自シンボルの信号成分を追加して第２の信号電力対干渉電力比を生成するための信号成分を構成したことを特徴とする請求項１に記載の通信装置。
【請求項１０】
上記変調条件選択部は、上記第１の信号電力対干渉電力比と上記第２の信号電力対干渉電力比の組合せが閾値より大きいか否かに基づいて伝送パラメータを決定することを特徴とする請求項１〜９のいずれかに記載の通信装置。
【請求項１１】
上記第１の信号電力対干渉電力比をＤＵＲ１とし、上記第２の信号電力対干渉電力比をＤＵＲ２とし、ｋ１、ｋ２、ｌ１、ｌ２、ｍ１、ｍ２を定数とし、％を四則演算＋，−，×，÷のいずれかとし、上記ＤＵＲ１は真数か常用対数か自然対数のいずれかであり、上記ＤＵＲ２も真数か、常用対数か、自然対数のいずれかであるとき、上記組合せは、以下の式（１）における上段の式、中段の式、下段の式のいずれかを用いることを特徴とする請求項１０に記載の通信装置。
2006092899.tif 000007
【請求項１２】
相手局が次回の送信時に自局が使用するべきものとして上記変調条件選択部が決定した伝送パラメータを含ませて送信した信号から上記伝送パラメータを抽出し、上記変調部に通知する伝送パラメータ推定部をさらに備え、上記変調部は自局の変調条件選択部が決定した伝送パラメータを用いる代りに上記伝送パラメータ推定部から通知された伝送パラメータを用いて伝送するべき情報系列を変調することを特徴とする請求項１に記載の通信装置。
【請求項１３】
受信信号から相手局が次回の送信時に自局が使用するべきものとして通知された伝送パラメータを抽出し、上記変調部に通知する伝送パラメータ推定部と、
上記変調条件選択部から出力された伝送パラメータを記憶する伝送パラメータ記憶部と、
をさらに備え、
上記復調部は、受信信号から相手局が変調に用いた伝送パラメータを抽出し、この抽出した伝送パラメ−タを用いる代りに、上記記憶された伝送パラメータを用いて次回の受信時に復調することを特徴とする請求項１に記載の通信装置。
【請求項１４】
受信信号に基づいて、他セルからの干渉成分や自セル内の他端末からの干渉成分やノイズ成分を含む第１の干渉成分を用いた信号電力と干渉電力の比である第１の信号電力対干渉電力比を取得する第１のステップと、
上記受信信号に基づいて、遅延波による第２の干渉成分を用いた信号電力と干渉電力の比である第２の信号電力対干渉電力比を取得する第２のステップと、
上記第１の信号電力対干渉電力比と第２の信号電力対干渉電力比とにより適用するべき変調方式を含む伝送パラメータを決定する変調条件選択ステップと、
この決定した伝送パラメータを用いて伝送するべき情報データ系列を変調する変調ステップと、
受信信号から相手局が変調に用いた伝送パラメータと情報データ系列を抽出し、この抽出した伝送パラメータを用いて上記抽出した情報データ系列を復調する復調ステップと、
を備えたことを特徴とする通信方法。
【請求項１５】
上記第２のステップは、上記受信信号に含まれる先行波の信号成分と、遅れ量がガードインターバル長以内の遅延波の信号成分とから成る合成信号成分の電力を上記第２の信号電力対干渉電力の信号電力として用いることを特徴とする請求項１４に記載の通信方法。
【請求項１６】
上記第２の干渉成分は、遅延波の遅れ量がガードインターバル長を超える場合の上記遅延波の他シンボルによるシンボル間干渉成分と、上記遅延波の遅れ量がガードインターバル長を超える場合の上記遅延波の自シンボルによるキャリア間干渉成分との少なくとも一方であることを特徴とする請求項１４に記載の通信方法。
【請求項１７】
上記第１のステップは、自局が送信した信号に含まれる複数の既知情報に基づき相手局が算出した第１の信号電力対干渉電力比を含ませて相手局が送信した信号から、上記第１の信号電力対干渉電力比を抽出することを特徴とする請求項１４に記載の通信方法。
【請求項１８】
上記第２のステップは、自局が送信した信号と、相手局が予め保有する、この信号に含まれる第１の既知情報と同じか略同一である第２の既知情報とに基づき相手局が算出した第２の信号電力対干渉電力比を含ませて相手局が送信した信号から、上記第２の信号電力対干渉電力比を抽出することを特徴とする請求項１４に記載の通信方法。
【請求項１９】
上記第１のステップは、受信信号に含まれる複数の既知情報に基づき、上記第１の信号電力対干渉電力比を算出することを特徴とする請求項１４に記載の通信方法。
【請求項２０】
受信信号に含まれる第１の既知情報と、予め保有する、上記第１の既知情報と同じか略同一である第２の既知情報とに基づき伝搬路応答を算出する伝搬路応答推定ステップをさらに備え、
上記第２のステップは、上記伝搬路応答推定ステップが算出した伝搬路応答に基づき、上記第２の信号電力対干渉電力比を算出することを特徴とする請求項１４に記載の通信方法。
【請求項２１】
上記伝搬路応答推定ステップは、上記伝搬路応答と予め保有する閾値を比較し、上記閾値よりも大きい伝搬路応答を出力することを特徴とする請求項２０に記載の通信方法。
【請求項２２】
上記第２のステップは、受信信号に含まれる先行波の信号成分と遅れ量がガードインターバル長以内の遅延波の信号成分とから成る合成信号成分に、遅れ量がガードインターバル長を超えた遅延波に含まれる自シンボルの信号成分を追加して第２の信号電力対干渉電力比を生成するための信号成分を構成したことを特徴とする請求項１４に記載の通信方法。
【請求項２３】
上記変調条件選択ステップは、上記第１の信号電力対干渉電力比と上記第２の信号電力対干渉電力比の組合せが閾値より大きいか否かに基づいて伝送パラメータを決定することを特徴とする請求項１４〜２２のいずれかに記載の通信方法。
【請求項２４】
上記第１の信号電力対干渉電力比をＤＵＲ１とし、上記第２の信号電力対干渉電力比をＤＵＲ２とし、ｋ１、ｋ２、ｌ１、ｌ２、ｍ１、ｍ２を定数とし、％を四則演算＋，−，×，÷のいずれかとし、上記ＤＵＲ１は真数か常用対数か自然対数のいずれかであり、上記ＤＵＲ２も真数か、常用対数か、自然対数のいずれかであるとき、上記組合せは、以下の式（２）における上段の式、中段の式、下段の式のいずれかを用いることを特徴とする請求項２３に記載の通信方法。
2006092899.tif 000008
【発明の詳細な説明】
【技術分野】
【０００１】
この発明は、ディジタル無線信号を１対１で双方向に通信し合う通信装置および通信方法に関するものである。
【背景技術】
【０００２】
以下、従来の技術について説明する。図２９は、例えば非特許文献１に示される従来の広帯域無線伝送システムの構成図であり、局１と局２が１対１で対等に送受信することを示している。この場合、局１が基地局で局２が移動局となることもあれば、その逆となることもある。また、局１が移動局で局２が別の移動局となることもある。この従来の広帯域無線伝送システムでは、伝送環境条件（伝送品質など）の良否に基づき適用する変調条件(変調方式、符号化率、情報伝送速度など)が選択される。図３０は図２９に示す従来の広帯域無線伝送システムにおいて変調条件選択の際に用いる伝送環境条件の一例を示した図である。図３０において、横軸は信号電力対ノイズ電力比（ＣＮＲ：Carrier to Noise Ratio）、縦軸は受信レベルの標準偏差を示すディレイスプレッド（ＤＳ：Delay Spread）を表す指標である。また、図３１は無線伝送路を伝搬する従来のバーストフォーマットの例を示した図であり、同図において、バーストは信号の伝送遅延などに対応するためのガードインターバルＢ１と、送信局と受信局との間で予め決めた既知パターンであるパイロットシンボルＢ２と、データシンボルＢ３とを備えている。
なお、パイロットシンボルＢ２は２つあるが、このデータパターンは同じであるか、あるいは略同一であることを前提とする。これは、本発明のすべての実施の形態においても共通である。【０００３】
次に、従来技術の動作を説明する。従来の受信機は、受信信号に含まれている送信側のパイロットシンボルと受信側で予め保有しているパイロットシンボルとの相互相関を演算することにより先行波の到来時点と少なくとも１つの遅延波の到来時点で相互相関値がピークとなる伝搬路応答（遅延プロファイルともいう）を取得し、この伝搬路応答より相互相関値の標準偏差を示すディレイスプレッドｆＤＳと信号電力対ノイズ電力比ｆＣＮＲを推定する。推定の際に、ディレイスプレッドｆＤＳと信号電力対ノイズ電力比ｆＣＮＲを、以下の式より求める。【０００４】
【数１】
2006092899.tif 000002
【０００５】
ここで、推定されたディレイスプレッドｆＤＳと信号電力対ノイズ電力比ｆＣＮＲとの関係に基づき図３０を参照することで、適用するべき変調条件(変調方式、符号化率、情報伝送速度など)が選択される。即ち、図３０では、横軸のｆＣＮＲが増大するほど信号品質がよくなり、縦軸のｆＤＳが増大するほど信号品質が劣化することを示している。従って、伝送環境が良い条件下では、ｆＣＮＲの値が大きくなるため、このｆＣＮＲの値に基づいて図３０を参照することで、高効率の伝送が可能な１６ＱＡＭなどが選択される。また、伝送環境が良くない条件下では、ｆＣＮＲの値が小さくなるため、このｆＣＮＲの値に基づいて図３０を参照することで、劣悪な伝送環境でも対応可能なＢＰＳＫなどが選択される。また、ｆＣＮＲの値が大きい伝送環境が良い条件下でも、ｆＤＳの値が大きくなると、信号品質が徐々に劣化してくるため、ｆＤＳの値が所定の値に達すると、ｆＣＮＲの値が同じであっても、図３０を参照することで、例えば１６ＱＡＭ（Ｒ＝３／４）でなく、より劣化した伝送環境でも対応可能な１６ＱＡＭ（Ｒ＝１／２）が選択される。ここでＲは符号化率である。【０００６】
図３２は受信機が受信した先行波と遅延波のバーストの時間的な関係を示した図であり、図３２（ａ）は遅延波の遅れがガードインターバル長よりも小さい場合を示した図であり、図３２（ｂ）は遅延波の遅れがガードインターバル長よりも大きい場合を示したものである。図３２（ａ）、（ｂ）において、先行波Ｂ５と、他のパスを経由したことにより遅れて受信された遅延波Ｂ６に、ＦＦＴ（Fast Fourier Transform）ウインドウ７と、干渉成分Ｂ４が示されている。ＦＦＴウィンドウ７は受信データのＦＦＴを行うために、受信信号から各Ｄａｔａを切り出すための時間軸上の区間であり、２つの方法で作成することができる。第１の方法は受信信号と既知パイロットシンボルの相互相関によって作成される伝搬路応答に基づき先行波のタイミングを抽出し、この先行波のタイミングから予め決められたパイロットシンボルの時間およびガードインターバル（以後、ＧＩと呼ぶこともある）の時間を経過した時をＦＦＴウィンドウの開始時点とする。ＦＦＴウィンドウの時間は予め決められているＤａｔａの時間と同じであるため、ＦＦＴウィンドウを作成することができる。第２の方法は、変調方式がＯＦＤＭ（Orthogonal Frequency Division Multiplexing）の場合に各受信Ｄａｔａの後尾部の内容と当該Ｄａｔａの直前に位置するガードインターバルＧＩの内容とが全く同じであることを利用したものであり、この各受信Ｄａｔａの後尾部と当該Ｄａｔａの直前のＧＩとの自己相関をとることにより、ＧＩの開始時点で相関値がピークとなるため、このピークとなる時点をＧＩ開始時点とし、このＧＩ開始時点から予め決められているＧＩの時間を経過した時をＦＦＴウィンドウの開始時点とする。ＦＦＴウィンドウの時間は予め決められているＤａｔａの時間と同じであるため、ＦＦＴウィンドウを作成することができる。【０００７】
ＯＦＤＭ受信機は受信信号から各ＤａｔａをＦＦＴウィンドウで切り出してＦＦＴを行うことにより受信波を復調する。次に、ＦＦＴウインドウとＦＦＴの関係について説明する。図３２（ａ）に示すように、遅延波の先行波からの遅れがガードインターバルＧＩ以内の場合、ＯＦＤＭではＤａｔａ２の後尾部の内容はＤａｔａ２の直前に位置するガードインターバルＧＩの内容と全く同じであるため、先行波のＦＦＴウィンドウで抽出したＤａｔａ２をＦＦＴにより時間軸から周波数軸に変換した結果と、遅延波を先行波で用いたＦＦＴウィンドウと同一のＦＦＴウィンドウで抽出して得られるガードインターバルＧＩの一部とＤａｔａ２の一部（図３２（ａ）の遅延波Ｂ６において７で示した部分）とをＦＦＴにより時間軸から周波数軸に変換した結果とは、同一シンボルの周波数成分となる。従って遅延波の遅れが先行波の先頭位置からＧＩ長分までの間にある場合には問題なく処理できる。ところが、遅延波の遅れが先行波の先頭からＧＩ長分の時間経過した時点を超えると、図３２（ｂ）の塗りつぶした部分に示すように、先行波の先頭からＧＩ長分の時間経過した時点を超えた遅延波の成分Ｂ４はＤａｔａ２のシンボルとは異なる他シンボル成分であり、先行波のＤａｔａ２のシンボルに対してシンボル間干渉となる。この干渉電力は、遅延波の遅延量の増大に伴い増加する。
【非特許文献１】"A NEW FREQUENCY-DOMAIN LINK ADAPTATION SCHEME FOR BROADBAND OFDM SYSTEMS"  VTC'99 p253-257
【発明の開示】
【発明が解決しようとする課題】
【０００８】
従来の技術では、以上のように変調条件を選択するパラメータとしてディレイスプレッドを用いているが、ディレイスプレッドは伝搬路応答の受信レベルの標準偏差であるため、遅延波の遅延量、電力の増大に伴いディレイスプレッドも増大するが、遅延波による干渉電力を直接表すものではないという問題があった。【０００９】
また、複数のセルにおいて通信が行われている場合、他セルからの信号や自セル内の他端末からの信号が漏れ込むことにより自セル内では干渉波となり受信感度が劣化し、通信断となることがあるという問題があった。しかしながら、従来の技術では、変調条件を選択するパラメータとして信号電力対ノイズ電力比を用いており、上記干渉の影響を含んでいないという問題があった。【００１０】
この発明は、このような問題を解決するために為されたものであり、遅延波による干渉電力や非対象の他端末や基地局からの信号による干渉電力やノイズ電力に基づき、信号品質をより正確に表す指標を得ることを目的としている。
なお、特許請求の範囲で用いられているネットワークは有線および無線を含むことを前提としている。
【課題を解決するための手段】
【００１１】
この発明に係る受信装置は、変調方式を含む伝送パラメータと、この伝送パラメータを用いて変調された情報データ系列とを有する信号をネットワークから受信し、この受信した信号から上記伝送パラメータを抽出し、この抽出した伝送パラメータを用いて上記情報データ系列を復調する手段を備えたものである。
【発明の効果】
【００１２】
この発明によれば、ＯＦＤＭ変復調方式において、推定された信号電力対干渉電力比１と信号電力対干渉電力比２に応じて、変調条件（変調方式、符号化率、情報伝送速度等）を適応的に変更するので、従来と比較して、システムスループット、パケットエラー特性の少なくともいずれか１つ以上を向上させることができる、という効果を奏する。
【図面の簡単な説明】
【００１３】
【図１】この発明に係る通信システムの実施の形態４、５を示す構成図である。
【図２】実施の形態４、５において共に図１に示す構成を有する局１と局２同士が通信し合う時の通信システムを示す構成図である。
【図３】実施の形態４、５において、局１と局２との広帯域無線伝送路を伝搬するバーストフォーマットの例を示す図である。
【図４】実施の形態４、５における局１、局２の動作を示すフローチャートである。
【図５】遅延波の遅れがガードインターバル長よりも大きい場合の時間的な関係を示した図である。
【図６】伝搬路応答推定部及び信号電力対干渉電力比２推定部の回路構成の例を示した図である。
【図７】伝搬路応答推定部及び信号電力対干渉電力比２推定部の回路構成の例を示した別の図である。
【図８】ＯＦＤＭ変復調方式における先行波と遅延波の関係を示す図である。
【図９】ナイキスト点における他周波数成分の干渉を示す説明図である。
【図１０】この発明に係る通信システムの実施の形態７を示す構成図である。
【図１１】実施の形態７において、局１と局２との広帯域無線伝送路を伝搬するバーストフォーマットの例を示す図である。
【図１２】実施の形態７における局１、局２の動作を示すフローチャートである。
【図１３】この発明に係る通信システムの実施の形態９を示す構成図である。
【図１４】実施の形態９において、局１と局２との広帯域無線伝送路を伝搬するバーストフォーマットの例を示す図である。
【図１５】実施の形態９における局１、局２の動作を示すフローチャートである。
【図１６】この発明に係る通信システムの実施の形態１１を示す構成図である。
【図１７】実施の形態１１において、局１と局２との広帯域無線伝送路を伝搬するバーストフォーマットの例を示す図である。
【図１８】実施の形態１１における局１、局２の動作を示すフローチャートである。
【図１９】この発明に係る通信システムの実施の形態１３を示す構成図である。
【図２０】実施の形態１３において、局１と局２との広帯域無線伝送路を伝搬するバーストフォーマットの例を示す図である。
【図２１】実施の形態１３における局１、局２の動作を示すフローチャートである。
【図２２】この発明に係る通信システムの実施の形態１５を示す構成図である。
【図２３】実施の形態１５において、局１と局２との広帯域無線伝送路を伝搬するバーストフォーマットの例を示す図である。
【図２４】実施の形態１５における局１、局２の動作を示すフローチャートである。
【図２５】この発明に係る通信システムの実施の形態１７を示す構成図である。
【図２６】実施の形態１７において、局１と局２との広帯域無線伝送路を伝搬するバーストフォーマットの例を示す図である。
【図２７】実施の形態１７における局１、局２の動作を示すフローチャートである。
【図２８】変調条件選択テーブルの一例を示す図である。
【図２９】従来およびこの発明に係る広帯域無線伝送システムの構成図である。
【図３０】従来の広帯域無線伝送システムにおいて変調条件選択の際に用いる環境条件の一例を示した図である。
【図３１】無線伝送路を伝搬する従来のバーストフォーマットの例を示した図である。
【図３２】受信機が受信した先行波と遅延波のバーストの時間的な関係を示した図である。
【図３３】実施の形態１における変調条件選択テーブル（閾線が直線）である。
【図３４】実施の形態１における変調条件選択テーブル（閾線が曲線）である。
【図３５】実施の形態２における変調条件選択テーブルである。
【図３６】実施の形態２における変調条件選択テーブルである。
【図３７】実施の形態３における変調条件選択テーブルである。
【図３８】実施の形態１におけるスループット特性を示した図である。
【図３９】実施の形態２におけるスループット特性を示した図である。
【符号の説明】
【００１４】
１  局、２  局、７  ＦＦＴ窓、８  復調部、９  伝送パラメータ抽出部、１０  伝搬路応答推定部、１１  変調条件選択部、１２  変調部、１３  受信アンテナ、１４  送信アンテナ、１５  信号電力対干渉電力比２推定部、１６  信号電力対干渉電力比１推定部、１７  信号電力対干渉電力比１推定部、１８  パイロットシンボル抽出部、１９  伝搬路応答抽出部、２０  変調部、２１  信号電力対干渉電力比２抽出部、２２  変調部、２３  信号電力対干渉電力比１抽出部、２４  変調部、２５  変調部、２６  伝送パラメータ推定部、２７  変調部、２８  伝送パラメータ記憶部、２９  変調部、４０１  相関器、４０２  判定回路、４０３  Ｎ乗器、４０４  積算器、４０５  Ｍ乗器、４０６  遅延量検出回路、４０７  積算器、４０８  除算器、４０９  比較器。
【発明を実施するための最良の形態】
【００１５】
以下、この発明の実施の一形態を説明する。
実施の形態1.
実施の形態４〜実施の形態１８における変調条件選択部は、非対象の端末や基地局等からの干渉成分とノイズ成分を用いた信号電力対干渉電力比１(DUR1とする)と遅延波に起因する干渉成分を用いた信号電力対干渉電力比２（DUR2とする）を用いて伝送パラメータを決定するが、その決定に用いられる環境条件の一例を図３３に示す。横軸はＤＵＲ１で、縦軸はＤＵＲ２である。式(5)に示すＤＵＲsynの値に応じて図３３の該当する領域の伝送パラメータを選択する。【００１６】
【数２】
2006092899.tif 000003
【００１７】
ここで、ｋ1，ｋ2，ｌ1，ｌ2，ｍ1，ｍ2は定数であり、％は四則演算＋，−，×，÷のいずれかである。また、ＤＵＲ１の値、ＤＵＲ２の値は真数、常用対数、自然対数のいずれかであり、ＤＵＲsynを算出する式は式(5)において上段の式、中段の式、下段の式の３つのうちいずれかを用いるものとする。式(５)の３つの式の内のいずれを適用するかということと、縦軸及び横軸の値であるＤＵＲ１及びＤＵＲ２の値が真数か常用対数か自然対数のいずれであるかということと、縦軸及び横軸が真数か常用対数か自然対数のいずれかであることによって、図３３に示すように無線伝送路の品質を規定する閾値が直線になったり、図３４に示すように曲線になったりする。【００１８】
例えば、ｋ1=ｋ2＝ｌ1＝ｌ2＝１、ｍ1＝ｍ2＝０とし、％は＋とし、ＤＵＲ１とＤＵＲ２は常用対数とし、式(５)の最上段の式を用いるものとする。また、図３３において、Th11＝２７[dB]、Th1２＝３７[dB]、Th21＝２７[dB]、Th22＝３７[dB]とおく。ここで、図３３において、算出したＤＵＲsynが該当する伝送パラメータを選択して通信を行った場合のスループット特性を図３８に示す。図３８において、横軸はＣＩＮＲ（信号電力に対するノイズ電力と他セル等の非対象端末からの干渉電力の比）であり、縦軸はスループットである。また、"ＱＰＳＫ"、"１６ＱＡＭ"、"６４ＱＡＭ"はそれぞれ変調方式をＱＰＳＫ、１６ＱＡＭ、６４ＱＡＭに固定して通信を行った場合のスループット特性であり、"Proposed"は上記のようにＤＵＲsynの値に応じて変調方式を選択して通信を行った場合のスループット特性である。図３８より、ＤＵＲsynの値に応じて伝送パラメータ(この場合は変調方式)を選択することでCINRによらず良好なスループット特性が得られていることが分かる。【００１９】
この実施の形態１によれば、遅延波に起因する干渉電力、他セル等からの非対象端末・基地局からの干渉電力、ノイズ電力、信号電力に基づいて適用するべき変調方式等の伝送パラメータを決定するので、従来より正確な変調方式等の選択が可能である。【００２０】
実施の形態２.
実施の形態１において、図３３のような環境条件を用いたが、ＤＵＲ１が大きい値をとる場合、ＤＵＲ２がある一定値よりも小さくなる(遅延波による干渉電力が大きくなる)とＤＵＲ１の大きさによらずＤＵＲ２の影響が支配的になることから、図３５のように高ＤＵＲ１においては、閾線をＤＵＲ２のみの影響が反映されるように変更することでより正確に最適な伝送パラメータを選択することができる。同様に、低ＤＵＲ１においては、閾線をＤＵＲ１のみの影響が反映されるように変更することでより正確に最適な伝送パラメータを選択することができる。【００２１】
図３６に図３５に類似の環境条件を示す。図３６に示すように、各ＤＵＲ１に対して伝送パラメータを選択するためのＤＵＲ２の閾値が設定されている。例えば、図３６においてTh11＝１３．２[dB]、Th1２＝１５．６[dB]、Th13＝１８．１[dB]、Th14＝２０．５[dB]、Th21＝１３．０[dB]、Th22＝１６．０[dB]、Th23＝１７．０[dB]、Th24＝１８．５[dB]とする。この環境条件を用いた場合のスループット特性を図３９に示す。凡例は実施の形態１と同様である。図３９よりCINRによらず良好なスループット特性がえられていることが分かる。【００２２】
この実施の形態２によれば、実施の形態１に比べより正確に最適な伝送パラメータを選択することができ、スループット特性の向上を図ることができる。【００２３】
実施の形態３．
実施の形態１において環境条件として図３３のような二次元のものを用いたが、これは図３７ように一次元の環境条件と置き換えることもできる。【００２４】
この実施の形態３によれば、実施の形態１と同様の効果を奏する。【００２５】
以上、変調条件選択部における伝送パラメータの選択方法として実施の形態１〜３に説明したが、これに限るものでなく、ＤＵＲ１とＤＵＲ２を用いて伝送パラメータの選択を行うものである。【００２６】
実施の形態４．
図２９に示す構成は実施の形態４でも用いられ、図２９において、局１の構成と局２の構成は異なる場合もあるが、ここでは説明を簡単にするために局１の構成と局２の構成は同じであるとする。図１は、この発明に係る通信システムの実施の形態４を示す構成図であり、局１も局２も同じ構成をとる。図２は共に図１に示す構成を有する局１と局２同士が通信し合う時の通信システムを示す構成図である。図１において、通信システムは復調部８と、伝送パラメータ抽出部９と、伝搬路応答推定部１０と、信号電力対干渉電力比２推定部１５と、信号電力対干渉電力比１推定部１６と、変調条件選択部１１と、変調部１２と、受信アンテナ１３と、送信アンテナ１４とを備えている。【００２７】
また、図３は実施の形態４において、局１と局２との広帯域無線伝送路を伝搬するバーストフォーマットの例を示す図であり、同図において、パイロットシンボルと最初のデータ部分（ＧＩおよびＤａｔａ）との間に送信側の局１で"用いられた伝送パラメータ"が挿入されている以外は図３１の構成と同じである。
また、図４は実施の形態４における局１、局２の動作を示すフローチャートである。【００２８】
次に、動作を説明する。
変調条件選択部における伝送パラメータの選択方法は実施の形態１〜３と同様である。
局１から送信された信号はバーストと呼ばれて無線伝送路を伝搬し、局２に到達する。このバーストには、図３に示すようにパイロットシンボルや局１が選択した変調方式（ＢＰＳＫ、ＱＰＳＫ、１６ＱＡＭなど）によって変調されたＤａｔａが含まれており、このときに用いた変調方式や符号化率等も伝送パラメータとしてバーストに含まれている。局２において、伝送パラメータ抽出部９は、受信アンテナ１３が受信した信号（バースト）から、局１が用いた変調方式等の伝送パラメータを抽出し、この抽出された伝送パラメータを復調部８に対して出力する（ステップＳ１０１）。復調部８は、伝送パラメータ抽出部９から送られた伝送パラメータを用いて、受信アンテナ１３が受信したバースト中のＤａｔａ信号を復調する（ステップＳ１０２）。【００２９】
伝搬路応答推定部１０は、受信アンテナ１３が受信した受信信号波形と局２が予め保有しているパイロットシンボルとの相互相関をとることにより先行波の到来時点と１つ以上の遅延波の到来時点で相互相関値がピークとなる伝搬路応答を取得し、この伝搬路応答を信号電力対干渉電力比２推定部１５に対して通知する（ステップＳ１０３）。【００３０】
信号電力対干渉電力比２推定部１５は、伝搬路応答推定部１０から通知された伝搬路応答を用いて信号電力対干渉電力比２を推定する（ステップＳ１０４）。これは、他シンボルによる自シンボルへの干渉による信号劣化を表すための指標として用いるものである。【００３１】
この場合、信号電力対干渉電力比２推定部１５は、信号電力対干渉電力比２を推定するために、図５に示すように先行波と予め保有しているパイロットシンボルとの相互相関値がピークとなる時点を０とし、予め決められているＧＩの時間長をＬＧＩとすると、信号電力Ｄ及び干渉信号の電力Ｕを式（６）及び式（７）より算出し、これを元に信号電力対干渉電力比  Ｄ／Ｕ  を算出（この  Ｄ／Ｕ  を算出することを  Ｄ／Ｕ  を推定するという）する。【００３２】
【数３】
2006092899.tif 000004
【００３３】
ここで、ｋ、ｌ、Ｎ、Ｌ、Ｍは定数である。また、ｈ（ｔ）は伝搬路応答であり、ｔは時間である。また、ｐは無線伝送路の状況に応じて適当に決定される値である。（これらの式は一例であり、信号電力対干渉電力比２の推定式はこれに限るものでない）【００３４】
図６は、伝搬路応答推定部１０及び信号電力対干渉電力比２推定部１５の回路構成の例を示した図であり、相関器４０１と、判定回路４０２と、Ｎ乗器４０３と、積算器４０４と、Ｍ乗器４０５と、遅延量検出回路４０６と、積算器４０７と、除算器４０８とを備えている。【００３５】
相関器４０１は、受信信号と既知パイロットシンボルとの相互相関演算を行い、演算結果である伝搬路応答を判定回路４０２に対して通知する。判定回路４０２は、相関器４０１からの相互相関値の遅延量がガードインターバル長と等しいかそれより小さければ遅延波のシンボル間干渉（遅延波の遅延量がガードインターバル長を超える場合の当該遅延波の他シンボルによる干渉）がないのでＮ乗器４０３へ、上記相互相関値の遅延量がガードインターバル長より長ければシンボル間干渉があるのでＭ乗器４０５へ相互相関値を通知する。Ｎ乗器４０３は判定回路４０２から受け取った相互相関値の絶対値をＮ乗し積算器４０４に通知する。積算器４０４は、Ｎ乗器４０３から受け取ったＮ乗値を積算する。この結果得られた積算値に重み係数ｋをかけて、乗算結果を積算値１として除算器４０８に通知する。Ｍ乗器４０５は、判定回路４０２から受け取った相互相関値の絶対値をＭ乗する。遅延量検出回路４０６は、Ｍ乗器４０５の出力の遅延量からガードインターバル長を減算したもののＬ乗値を出力し、Ｍ乗器４０５の出力と乗算し、積算器４０７に通知する。積算器４０７は、Ｍ乗器４０５と遅延量検出回路４０６の乗算値を積算する。この結果得られた積算値に重み係数ｌをかけて、乗算結果を積算値２として除算器４０８に通知する。除算器４０８は、積算値１を積算値２で除算する。【００３６】
このようにして得られた信号電力対干渉電力比２を変調条件選択部１１に対して通知する。【００３７】
信号電力対干渉電力比１推定部１６は、バースト内のパイロットシンボルを用いて信号電力対干渉電力比１を推定する（ステップＳ１０５）。これは、他セルからの信号や自セル内の他端末からの信号に起因する干渉やノイズによる信号劣化を表すための指標として用いるものである。【００３８】
この場合、信号電力対干渉電力比１推定部１６は、図３に示すように２つの同一パイロットシンボル"Pilot"を用いて信号電力対干渉電力比１を推定するために、まず信号電力Ｄ及び干渉電力Ｕを次の式（８）と（９）から算出し、このＤをＵで除算することで信号電力対干渉電力比１を推定（算出）する。【００３９】
【数４】
2006092899.tif 000005
【００４０】
ここで、ｋ、ｌ、Ｎ、Ｍは定数である。また、Cniはi番目のパイロットシンボルのn番目のサンプル値であり、ｍは１パイロットシンボル内のサンプル数である。また、Ｎ，Ｍが２の場合はＤ及びＵは電力の大きさを表す。（これらの式は一例であり、信号電力対干渉電力比１の推定式はこれに限るものでない）【００４１】
このようにして得られた信号電力対干渉電力比１を変調条件選択部１１に対して通知する。【００４２】
変調条件選択部１１は、信号電力対干渉電力比１推定部１６から出力された信号電力対干渉電力比１と信号電力対干渉電力比２推定部１５から出力された信号電力対干渉電力比２を用いて、適用するべき変調方式等の伝送パラメータを決定し、この伝送パラメータを変調部１２に対して通知する（ステップＳ１０６）。変調部１２は、変調条件選択部１１によって通知された伝送パラメータを用いてＧＩおよびＤａｔａを含む情報データ系列を変調する（ステップＳ１０７）。【００４３】
例えば、ＱＰＳＫ変調方式と６４ＱＡＭ変調方式を適応的に適用する場合、上記のようにして推定した信号電力対干渉電力比１と信号電力対干渉電力比２を用いて、信号電力対干渉電力比１に対する信号電力対干渉電力比２の値がある閾値よりも小さい場合、変調条件選択部１１は干渉電力に対して耐性の強いＱＰＳＫ変調方式を適用する。これにより、パケットエラーとなる確率が下がることが期待できる。また、上記の値が閾値よりも大きい場合、変調条件選択部１１は６４ＱＡＭ変調方式を適用する。これにより、スループットの向上が期待できる。【００４４】
変調部１２は、さらに変調した情報データ系列に、予め決められたパイロットシンボルと、変調で使用した変調方式などの伝送パラメータとを付加してバーストを作成する（ステップＳ１０８）。こうして作成されたバーストをアンテナ１４より無線伝送路に出力する（ステップＳ１０９）。そしてアンテナより出力された信号は無線伝送路を伝搬して局１に到達する。そして、局１においても上記局２と同様に動作する。【００４５】
この実施の形態４によれば、信号電力、干渉電力、ノイズ電力に基づいて適用するべき変調方式等の伝送パラメータを決定するので、従来より正確な変調方式等の選択が可能である。【００４６】
また、以上の説明では相関器４０１は受信信号と受信機が予め保有しているパイロットシンボルとの相互相関を演算し、得られた相互相関値を伝搬路応答として直接判定回路４０２へ出力していたが、この相互相関値にはノイズなども含まれている。そこで、図７に示すように、相関器４０１によって得られた相互相関値を比較器４０９が予め設定した値（閾値）と比較してこの閾値よりも大きい値をもつ相互相関値だけを判定回路４０２へ出力するようにしてもよい。
これにより、ノイズ成分を軽減できるため、より正確な伝搬路応答を出力することができる。そのため、より正確な信号電力対干渉電力比２を推定可能となり、ひいてはこの信号電力対干渉電力比２に基づいて適用するべき変調方式等の伝送パラメータを決定するので、上記よりさらに正確な変調方式等の選択が可能になる。【００４７】
この実施の形態４によれば、信号電力、干渉電力、ノイズ電力に基づいて適用するべき変調方式等の伝送パラメータを決定するので、従来より正確な変調方式等の選択が可能である。【００４８】
実施の形態５．
実施の形態４では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。【００４９】
局１は、既知情報であり互いに所定の関係にある複数のパイロットシンボルで構成される第１のパイロットシンボルと変調方式を含む第１の伝送パラメータと、この第１の伝送パラメータによって変調された情報データ系列とを有する信号を伝送する。また、局２は上記第１のパイロットシンボルと、予め決められた変調方式を含む第３の伝送パラメータによって変調された情報データ系列とを有する信号を伝送する。【００５０】
図２９はこの実施の形態５でも用いられる。
局１の構成は、図１に示す構成から伝送パラメータ抽出部９を取り除いたものであり、その他の構成は実施の形態４のそれと同じである。
また、局２の構成は図１に示す構成から伝搬路応答推定部１０と信号電力対干渉電力比１推定部１６と信号電力対干渉電力比２推定部１５と変調条件選択部１１とを取り除いたものである。【００５１】
また、図３のバーストフォーマットはこの実施の形態５において局１から局２へ伝送するバーストでも用いられる。局２から局１へ伝送されるバーストのフォーマットは、図３に示すバーストフォーマットから"用いられた伝送パラメータ"を取り除いたものである。
局１の動作手順は、図４に示すフローチャートから伝送パラメータを抽出するステップＳ１０１を取り除いたものであり、その他の構成は実施の形態４のそれと同じである。
また、局２の動作手順は、図４に示すフローチャートから伝搬路応答を推定するステップＳ１０３と、第２の信号電力対干渉電力比を推定するステップＳ１０４と、第１の信号電力対干渉電力比を推定するステップＳ１０５と、伝送パラメータを選択するステップＳ１０６とを取り除いたものである。【００５２】
次に、動作を説明する。
局１から送信された信号はバーストと呼ばれて無線伝送路を伝搬し、局２に到達する。このバーストには、図３に示すように第１のパイロットシンボルや局１が選択した変調方式（ＢＰＳＫ、ＱＰＳＫ、１６ＱＡＭなど）によって変調されたＤａｔａが含まれており、このときに用いた変調方式や符号化率等も第１の伝送パラメータとしてバーストに含まれている。【００５３】
局２において、伝送パラメータ抽出部９は、受信アンテナ１３が受信した信号（バースト）から、局１が用いた変調方式等の第１の伝送パラメータを抽出し、この抽出された第１の伝送パラメータを復調部８に対して出力する（ステップＳ１０１）。復調部８は、伝送パラメータ抽出部９から送られた第１の伝送パラメータを用いて、受信アンテナ１３が受信したバースト中のＤａｔａ信号を復調する（ステップＳ１０２）。
変調部１２は、予め決められていて、局２が保有している第３の伝送パラメータを用いてＧＩおよびＤａｔａを含む情報データ系列を変調する（ステップＳ１０７）。【００５４】
変調部１２は、さらに変調した情報データ系列に、予め保有している、上記第１のパイロットシンボルと同じ内容の第２のパイロットシンボルを第１のパイロットシンボルとして付加してバーストを作成する（ステップＳ１０８）。こうして作成されたバーストをアンテナ１４より無線伝送路に出力する（ステップＳ１０９）。【００５５】
このアンテナより出力されたバーストには、第１のパイロットシンボルや局２が保有する変調方式によって変調されたＤａｔａが含まれているが、局２が用いた第３の伝送パラメータは含まれていない。これにより、バースト伝送の高速化を図ることができる。そして、このバーストは無線伝送路を伝搬して局１に到達する。【００５６】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ１０２）。【００５７】
伝搬路応答推定部１０は、受信アンテナ１３が受信した受信信号波形と局１が予め保有している、上記第１のパイロットシンボルと同じ内容の第３のパイロットシンボルとの相互相関をとることにより先行波の到来時点と１つ以上の遅延波の到来時点で相互相関値がピークとなる伝搬路応答を取得し、この伝搬路応答を信号電力対干渉電力比２推定部１５に対して通知する（ステップＳ１０３）。【００５８】
信号電力対干渉電力比２推定部１５は、伝搬路応答推定部１０から通知された伝搬路応答を用いて実施の形態４と同様にして信号電力対干渉電力比２を推定する（ステップＳ１０４）。これは、他シンボルによる自シンボルへの干渉による信号劣化を表すための指標として用いるものである。【００５９】
このようにして得られた信号電力対干渉電力比２を変調条件選択部１１に対して通知する。【００６０】
信号電力対干渉電力比１推定部１６は、バースト内のパイロットシンボルを用いて実施の形態４と同様にして信号電力対干渉電力比１を推定する（ステップＳ１０５）。これは、他セルからの信号や自セル内の他端末からの信号に起因する干渉やノイズによる信号劣化を表すための指標として用いるものである。【００６１】
このようにして得られた信号電力対干渉電力比１を変調条件選択部１１に対して通知する。【００６２】
変調条件選択部１１は、信号電力対干渉電力比１推定部１６から出力された信号電力対干渉電力比１と信号電力対干渉電力比２推定部１５から出力された信号電力対干渉電力比２を用いて、実施の形態４と同様にして適用するべき変調方式等の第２の伝送パラメータを決定し、この第２の伝送パラメータを変調部１２に対して通知する（ステップＳ１０６）。変調部１２は、変調条件選択部１１によって通知された第２の伝送パラメータを用いてＧＩおよびＤａｔａを含む情報データ系列を変調する（ステップＳ１０７）。【００６３】
例えば、ＱＰＳＫ変調方式と６４ＱＡＭ変調方式を適応的に適用する場合、上記のようにして推定した信号電力対干渉電力比１と信号電力対干渉電力比２を用いて、信号電力対干渉電力比１に対する信号電力対干渉電力比２の値がある閾値よりも小さい場合、変調条件選択部１１は干渉電力に対して耐性の強いＱＰＳＫ変調方式を適用する。これにより、パケットエラーとなる確率が下がることが期待できる。また、上記の値が閾値よりも大きい場合、変調条件選択部１１は６４ＱＡＭ変調方式を適用する。これにより、スループットの向上が期待できる。【００６４】
変調部１２は、さらに変調した情報データ系列に、予め保有する、上記第３のパイロットシンボルと、変調で使用した変調方式などの第２の伝送パラメータとをそれぞれ第１のパイロットシンボル、第１の伝送パラメータとして付加してバーストを作成する（ステップＳ１０８）。こうして作成されたバーストをアンテナ１４より無線伝送路に出力する（ステップＳ１０９）。そしてアンテナより出力された信号は無線伝送路を伝搬して局２に到達する。そして、局２において再び上記と同じ動作を行う。以降は局１と局２との間で以上の動作を繰り返す。【００６５】
この実施の形態５によれば、実施の形態４の効果に加えて、局２から局１へ第３の伝送パラメータを伝送しないので、実施の形態４に比べてバースト伝送の高速化を図ることができる。【００６６】
実施の形態６．
実施の形態４では信号電力対干渉電力比２の干渉電力として、他シンボルによるシンボル間干渉電力を例として説明したが、自シンボルの直交ずれによるキャリア間干渉電力を含めてもよい。実施の形態６では、この自シンボルの直交ずれによるキャリア間干渉電力について説明する。【００６７】
図８に示すように、先行波においては各Ｄａｔａ系列に対してＦＦＴを行う際に当該Ｄａｔａを切り出す。これは、当該Ｄａｔａの時間軸上の区間と一致した区間をもつ矩形波であるＦＦＴウィンドウを当該Ｄａｔａに乗算することと等価である。従って、ＤａｔａをＦＦＴウィンドウで切り出した後にＦＦＴによって時間軸から周波数軸に変換するが、これは、Ｄａｔａ系列にＦＦＴを適用した結果周波数軸上に現れる複数の離散的なスペクトル成分の各々に対してＦＦＴウィンドウにＦＦＴを適用した結果得られるｓｉｎｃ関数を畳み込むことと等価である。ＯＦＤＭではこの畳み込みを行う場合、基本周波数の整数倍のサブキャリアが用いられるので、信号の各サブキャリアによる周波数成分は当該サブキャリア中心部以外のナイキスト点ですべて０となるため、図９（ａ）に示すように各ナイキスト点でサンプリングされる他の周波数成分に干渉を及ぼすことはない。【００６８】
ところが、図８に示すように遅延がＬＧＩを超える遅延波においては、ＦＦＴウィンドウ区間における先行波のＤａｔａ部（ＧＩを含む）に遅延波の他シンボルのＤａｔａ部（ＧＩを含む）が混在してしまう。従って、遅延波の場合、他シンボルのＤａｔａ区間の一部と自シンボルのＤａｔａ（正確にはＧＩ成分を含む）の一部とをそれぞれの時間長に一致する短区間の方形窓で切り出したものを足し合わせたものに対してＦＦＴを適用することになる。時間軸上の短区間の方形窓にＦＦＴを適用した結果、ｓｉｎｃ関数は周波数軸上で広がることになり、Ｄａｔａの一部を当該短区間の方形窓で切り出した信号にＦＦＴを適用した結果は、ＤａｔａをＦＦＴした結果に周波数軸上で広がったｓｉｎｃ関数を畳み込んだことになる。その結果、信号の各サブキャリアによる周波数成分は図９（ｂ）に示すように当該サブキャリア中心部以外のナイキスト点でも０とはならなくなるため、各ナイキスト点でサンプリングされる他の周波数成分にこの０でない成分が足し込まれてしまい、これが干渉を及ぼすことになる。そこで、これを干渉の指標に含めることも可能である。【００６９】
これにより、干渉電力はより正確になるので、上記よりさらに正確な伝送パラメータの選択が可能である。【００７０】
また、式（６）で示された信号電力Ｄは、先行波の信号電力と遅れがガードインターバル長以内の遅延波の信号電力とを合成したものであるが、この信号電力Ｄに、遅れがガードインターバル長を超えた遅延波に含まれる自シンボルの信号電力を追加することにより、より正確な信号電力が得られるので、上記よりさらに正確な伝送パラメータの選択が可能になる。そこで、これを信号電力の指標に含めることも可能である。【００７１】
これにより、信号電力はより正確になるので、上記よりさらに正確な伝送パラメータの選択が可能である。【００７２】
例えば、信号成分として、先行波の信号成分と遅れがガードインターバル長以内の遅延波の信号成分と遅れがガードインターバル長を超えた遅延波に含まれる自シンボルの信号成分として構成し、干渉成分として、遅延波の遅延量がガードインターバル長を超える場合の上記遅延波の他シンボルによるシンボル間干渉と遅延量がガードインターバル長を超える場合の上記遅延波の自シンボによるキャリア間干渉を干渉成分として、信号電力対干渉電力比２を式(１０)のように算出する。【００７３】
【数５】
2006092899.tif 000006
【００７４】
ここで、ｋ、ｌ、ｍは定数である。また、Npは遅延波の到来数、Piはi番目の到来波(先行波を0番目とする)の受信電力、aiはi番目の到来波においてFFT区間に他シンボルが漏れ込んだ時間幅、biはi番目の到来波においてFFT区間に自シンボルが含まれる時間幅である。（これらの式は一例であり、信号電力対干渉電力比２推定式はこれに限るものでない）  【００７５】
実施の形態７．
図２９に示す構成は実施の形態７でも用いられ、図２９において局１の構成と局２の構成は異なる場合もあるが、ここでは説明を簡単にするために局１の構成と局２の構成は同じであるとする。図１０は、この発明に係る通信システムの実施の形態７を示す構成図であり、局１も局２も同じ構成をとる。図１０において、図１と同符号は同一または相当部分を示す。通信システムは、受信アンテナ１３が受け取った信号から伝搬路応答を抽出し、この抽出された伝搬路応答を信号電力対干渉電力比２推定部１５に対して通知する伝搬路応答抽出部１９と、受信アンテナ１３が受け取った信号から送り返されてきたパイロットシンボルを抽出し、この抽出したパイロットシンボルを用いて信号電力対干渉電力比１を推定する信号電力対干渉電力比１推定部１７と、受信アンテナ１３が受け取った信号からパイロットシンボルを抽出し、変調部へ通知するパイロットシンボル抽出部１８と、変調条件選択部１１から通知された伝送パラメータを用いて情報データ系列を変調するとともに伝搬路応答推定部１０の推定結果とパイロットシンボル抽出部１８の抽出結果と用いられた伝送パラメータとパイロットシンボルを送信バーストに挿入する変調部２０を備えている。【００７６】
また、図１１は実施の形態７において、局１と局２との広帯域無線伝送路を伝搬するバーストフォーマットの例を示す図であり、同図において、"Pilot"と"用いられた伝送パラメータ"の間に相手局が使用するべき"伝搬路応答推定結果"と"パイロットシンボル抽出結果"が挿入されている以外は図３のバーストフォーマットと同じである。
また、図１２は実施の形態７における局１、局２の動作を示すフローチャートである。【００７７】
次に、実施の形態７の動作を図１０〜図１２を参照して説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１はパイロットシンボル"Pilot"と、自局（この場合は局１）が決定した変調方式などの伝送パラメータと、相手局が使用するべき"伝搬路応答推定結果"と、相手局が使用するべき"パイロットシンボル抽出結果"と、自局が決定した変調方式などの伝送パラメータを用いて変調した情報データ系列とを図１１に示すバーストとして無線伝送路へ送信する。このバーストは、無線伝送路を伝搬して局２のアンテナ１３に到達する。局２において、伝送パラメータ抽出部９は、受信アンテナ１３が受信した信号（バースト）から、局１が用いた変調方式などの伝送パラメータを抽出し、この抽出された伝送パラメータを復調部８に対して通知する（ステップＳ２０１）。復調部８は、伝送パラメータ抽出部９から通知された伝送パラメータを用いて、受信アンテナ１３が受信したバースト中の情報データ系列を復調する（ステップＳ２０２）。【００７８】
伝搬路応答推定部１０は、実施の形態４と同様に受信アンテナ１３が受け取った受信信号と予め局２が保有しているパイロットシンボルとの相互相関を演算することにより伝搬路応答を推定し、この推定された伝搬路応答を相手局に通知するためにまず変調部２０に対して通知する（ステップＳ２０３）。【００７９】
また、伝搬路応答抽出部１９は、受信アンテナ１３が受け取った信号から局２が使用するべき"伝搬路応答推定結果"を抽出し、この抽出された"伝搬路応答推定結果"を信号電力対干渉電力比２推定部１５に対して通知する（ステップＳ２１０）。信号電力対干渉電力比２推定部１５は、この"伝搬路応答推定結果"を基に実施の形態４及び実施の形態６と同様（但し、相関器４０１を伝搬路応答を抽出する抽出器に置き換える必要がある）にして信号電力対干渉電力比２を算出（推定）し、この推定結果を変調条件選択部１１に対して通知する（ステップＳ２０４）。【００８０】
また、信号電力対干渉電力比１推定部１７は、受信アンテナ１３が受け取った信号から局２が使用するべき"パイロットシンボル抽出結果"を抽出し、これを基に実施の形態４と同様にして信号電力対干渉電力比１を算出(推定)し、この推定結果を変調条件選択部１１に対して通知する(ステップＳ２１２)。パイロットシンボル抽出部１８は、受信アンテナ１３が受け取った信号から局１が使用するべきパイロットシンボル"Pilot"を抽出し、変調部２０に通知する（ステップＳ２１１）。変調条件選択部１１は、信号電力対干渉電力比１推定部１７から通知された信号電力対干渉電力比１と信号電力対干渉電力比２推定部１５から通知された信号電力対干渉電力比２を用いて、適用する変調条件(変調方式、符号化率、情報伝送速度等)のパラメータ（第２の伝送パラメータ）を決定し、この決定結果を変調部２０に対して通知する（ステップＳ２０６）。【００８１】
変調部２０は、変調条件選択部１１から通知された第２の伝送パラメータを用いて、ＧＩおよびＤａｔａを含む情報データ系列を変調する（ステップＳ２０７）。変調部２０は、さらに変調された情報データ系列に、伝送路応答推定部１０から通知された相手局（この場合は局１）が使用するべき"伝搬路応答推定結果"と、パイロットシンボル抽出部１８から通知された相手局が使用するべき"パイロットシンボル抽出結果"と、変調条件選択部１１が選択した変調方式などの伝送パラメータ(第２の伝送パラメータ)と、パイロットシンボルと、を付加してバーストを作成し（ステップＳ２１３）、アンテナ１４より無線伝送路に出力する（ステップＳ２０９）。そしてアンテナより出力された信号は無線伝送路を伝搬して局２に到達する。
そして、局１においても上記局２と同様に動作する。【００８２】
この実施の形態７によれば、実施の形態４と同様の効果を奏する。【００８３】
実施の形態８．
実施の形態７では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。【００８４】
局１は、既知情報であり互いに所定の関係にある複数のパイロットシンボルで構成される第１のパイロットシンボルと変調方式を含む第１の伝送パラメータと、この第１の伝送パラメータによって変調された情報データ系列とを有する信号を伝送する。また、局２は上記第１のパイロットシンボルと、第１の伝搬路応答と、第３のパイロットシンボルと、予め決められた変調方式を含む第３の伝送パラメータによって変調された情報データ系列とを有する信号を伝送する。【００８５】
図２９はこの実施の形態８でも用いられる。
局１の構成は、図１０に示す構成から伝送パラメータ抽出部９とパイロットシンボル抽出部１８と伝搬路応答推定部１０を取り除いたものであり、その他の構成は実施の形態７のそれと同じである。
また、局２の構成は図１０に示す構成から伝搬路応答抽出部１９と信号電力対干渉電力比１推定部１７と信号電力対干渉電力比２推定部１５と変調条件選択部１１とを取り除いたものである。【００８６】
また、この実施の形態８において局１から局２へ伝送するバーストフォーマットは、図１１に示すバーストフォーマットから"伝送路応答推定結果"と、"パイロットシンボル抽出結果"を取り除いたものである。局２から局１へ伝送されるバーストのフォーマットは、図１１に示すバーストフォーマットから"用いられた伝送パラメータ"を取り除いたものである。
局１の動作手順は、図１２に示すフローチャートから伝送パラメータを抽出するステップＳ２０１と、パイロットシンボルを抽出するステップＳ２１１と、伝搬路応答を推定するステップＳ２０３を取り除いたものであり、その他の構成は実施の形態７のそれと同じである。
また、局２の動作手順は、図１２に示すフローチャートから伝搬路応答を抽出するステップＳ２１０と、第２の信号電力対干渉電力比を推定するステップＳ２０４と、第１の信号電力対干渉電力比を推定するステップＳ２１２と、伝送パラメータを選択するステップＳ２０６とを取り除いたものである。【００８７】
次に、動作を説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１から送信された信号はバーストと呼ばれて無線伝送路を伝搬し、局２に到達する。このバーストには、第１のパイロットシンボルや局１が選択した変調方式（ＢＰＳＫ、ＱＰＳＫ、１６ＱＡＭなど）によって変調されたＤａｔａが含まれており、このときに用いた変調方式や符号化率等も第１の伝送パラメータとしてバーストに含まれている。【００８８】
局２において、伝送パラメータ抽出部９は、受信アンテナ１３が受信した信号（バースト）から、局１が用いた変調方式等の第１の伝送パラメータを抽出し、この抽出された伝送パラメータを復調部８に対して通知する（ステップＳ２０１）。復調部８は、伝送パラメータ抽出部９から通知された伝送パラメータを用いて、受信アンテナ１３が受信したバースト中の情報データ系列を復調する（ステップＳ２０２）。【００８９】
伝搬路応答推定部１０は、実施の形態７と同様に受信アンテナ１３が受け取った受信信号と予め局２が保有している上記第１のパイロットシンボルと同じ内容の第３のパイロットシンボルとの相互相関を演算することにより先行波の到来時点と１つ以上の遅延波の到来時点で相互相関値がピークとなる伝搬路応答を推定し、この推定された伝搬路応答を相手の局１に通知するためにまず変調部２０に対して通知する（ステップＳ２０３）。【００９０】
パイロットシンボル抽出部１８は、受信アンテナ１３が受け取った信号から局１が使用するべきパイロットシンボル"Pilot"を抽出し、変調部２０に通知する（ステップＳ２１１）。【００９１】
変調部２０は、予め決められていて、局２が保有している第３の伝送パラメータを用いて、ＧＩおよびＤａｔａを含む情報データ系列を変調する（ステップＳ２０７）。変調部２０は、さらに変調された情報データ系列に、伝搬路応答推定部１０から通知された相手の局１が使用するべき"伝搬路応答推定結果"と、パイロットシンボル抽出部１８から通知された相手の局１が使用するべき"パイロットシンボル抽出結果"と、パイロットシンボル(第３のパイロットシンボル)と、を付加してバーストを作成し（ステップＳ２１３）、アンテナ１４より無線伝送路に出力する（ステップＳ２０９）。【００９２】
このアンテナより出力されたバーストには、局２が用いた第３の伝送パラメータは含まれていない。これにより、バースト伝送の高速化を図ることができる。そして、このバーストは無線伝送路を伝搬して局１に到達する。【００９３】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ２０２）。【００９４】
また、伝搬路応答抽出部１９は、受信アンテナ１３が受け取った信号から局２が使用するべき"伝搬路応答推定結果"を抽出し、この抽出された"伝搬路応答推定結果"を信号電力対干渉電力比２推定部１５に対して通知する（ステップＳ２１０）。信号電力対干渉電力比２推定部１５は、この"伝搬路応答推定結果"を基に信号電力対干渉電力比２を算出（推定）し、この推定結果を変調条件選択部１１に対して通知する（ステップＳ２０４）。【００９５】
信号電力対干渉電力比１推定部１７は、受信アンテナ１３が受け取った信号から局２が使用するべき"パイロットシンボル抽出結果"を抽出し、これを基に信号電力対干渉電力比１を算出(推定)し、この推定結果を変調条件選択部１１に対して通知する(ステップＳ２１２)。【００９６】
変調条件選択部１１は、信号電力対干渉電力比１推定部１７から通知された信号電力対干渉電力比１と信号電力対干渉電力比２推定部１５から通知された信号電力対干渉電力比２を用いて、適用する変調条件(変調方式、符号化率、情報伝送速度等)のパラメータ（第２の伝送パラメータ）を決定し、この決定結果を変調部２０に対して通知する（ステップＳ２０６）。【００９７】
変調部２０は、変調条件選択部１１から通知された第２の伝送パラメータを用いて、ＧＩおよびＤａｔａを含む情報データ系列を変調する（ステップＳ２０７）。変調部２０は、さらに変調された情報データ系列に、予め局２が保有している、上記第１のパイロットシンボルと同じ内容の第２のパイロットシンボルと、上記第２の伝送パラメータとをそれぞれ第１のパイロットシンボル、第１の伝送パラメータとして付加してバーストを作成し（ステップＳ２１３）、アンテナ１４より無線伝送路に出力する（ステップＳ２０９）。そしてアンテナより出力された信号は無線伝送路を伝搬して局２に到達する。
そして、局２において再び上記と同じ動作を行う。以降は局１と局２との間で以上の動作を繰り返す。【００９８】
この実施の形態８によれば、実施の形態７の効果に加えて、局２から局１へ第３の伝送パラメータを伝送しないので、実施の形態７に比べてバースト伝送の高速化を図ることができる。【００９９】
実施の形態９．
図２９に示す構成は実施の形態９でも用いられ、図２９において局１の構成と局２の構成は異なる場合もあるが、ここでは説明を簡単にするために局１の構成と局２の構成は同じであるとする。図１３は、この発明に係る通信システムの実施の形態９を示す構成図であり、局１も局２も同じ構成をとる。図１３において、図１、図１０と同符号は同一または相当部分を示す。通信システムは、受信アンテナ１３が受け取った信号から信号電力対干渉電力比２を抽出し、変調条件選択部１１へ通知する信号電力対干渉電力比２抽出部２１と、変調条件選択部１１から通知された伝送パラメータを用いて情報データ系列を変調するとともに信号電力対干渉電力比２推定部から通知された信号電力対干渉電力比２推定結果とパイロットシンボル抽出部の抽出結果と用いられた伝送パラメータとパイロットシンボルを送信バーストに挿入する変調部２２とを備えている。【０１００】
また、図１４は実施の形態９において、局１と局２との広帯域無線伝送路を伝搬するバーストフォーマットの例を示す図であり、同図において、"Pilot"と"用いられた伝送パラメータ"の間に相手局が使用するべき"信号電力対干渉電力比２"と"パイロットシンボル抽出結果"が挿入されている以外は図３のバーストフォーマットと同じである。
また、図１５は実施の形態９における局１、局２の動作を示すフローチャートである。【０１０１】
次に、実施の形態９の動作を図１３〜図１５を参照して説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１はパイロットシンボル"Pilot"と、自局（この場合は局１）が決定した変調方式などの伝送パラメータと、相手局が使用するべき"信号電力対干渉電力比２"と、相手局が使用するべき"パイロットシンボル抽出結果"と、自局が決定した変調方式などの伝送パラメータを用いて変調した情報データ系列とを図１４に示すバーストとして無線伝送路へ送信し、このバーストは、無線伝送路を伝搬して局２のアンテナ１３に到達する。局２において、伝送パラメータ抽出部９は、受信アンテナ１３が受信した信号（バースト）から、局１が用いた変調方式などの伝送パラメータを抽出し、この抽出された伝送パラメータを復調部８に対して通知する（ステップＳ3０１）。復調部８は、伝送パラメータ抽出部９から通知された伝送パラメータを用いて、受信アンテナ１３が受信したバースト中の情報データ系列を復調する（ステップＳ３０２）。【０１０２】
伝搬路応答推定部１０は、実施の形態４と同様に受信アンテナ１３が受け取った受信信号と予め局２が保有しているパイロットシンボルとの相互相関を演算することにより伝搬路応答を推定し、この推定された伝搬路応答を信号電力対干渉電力比２推定部１５に通知する（ステップＳ３０３）。【０１０３】
また、信号電力対干渉電力比２抽出部２１は、受信アンテナ１３が受け取った信号から局２が使用するべき"信号電力対干渉電力比２"を抽出し、この抽出された"信号電力対干渉電力比２"を変調条件選択部１１に対して通知する（ステップＳ３１４）。信号電力対干渉電力比２推定部１５は、伝搬路応答推定部１０から通知された伝搬路応答を基に実施の形態４及び実施の形態６と同様にして信号電力対干渉電力比２を算出（推定）し、この推定結果を変調部２２に対して通知する（ステップＳ３０４）。信号電力対干渉電力比１推定部１７は、受信アンテナ１３が受け取った信号から局２が使用するべき"パイロットシンボル抽出結果"を抽出し、これを基に実施の形態４と同様にして信号電力対干渉電力比１を算出(推定)し、この推定結果を変調条件選択部１１に対して通知する(ステップＳ３１２)。パイロットシンボル抽出部１８は、受信アンテナ１３が受け取った信号から局１が使用するべきパイロットシンボル"Pilot"を抽出し、変調部２２に通知する（ステップＳ３１１）。変調条件選択部１１は、信号電力対干渉電力比１推定部１７から通知された信号電力対干渉電力比１と信号電力対干渉電力比２抽出部２１から通知された信号電力対干渉電力比２を用いて、適用する変調条件(変調方式、符号化率、情報伝送速度等)のパラメータ（伝送パラメータ）を決定し、この決定結果を変調部２２に対して通知する（ステップＳ３０６）。【０１０４】
変調部２２は、変調条件選択部１１から通知された伝送パラメータを用いて、ＧＩおよびＤａｔａを含む情報データ系列を変調する（ステップＳ３０７）。変調部２２は、さらに変調された情報データ系列に、信号電力対干渉電力比２推定部１５から通知された相手局（この場合は局１）が使用するべき"信号電力対干渉電力比２"と、パイロットシンボル抽出部１８から通知された相手局が使用するべき"パイロットシンボル抽出結果"と、変調条件選択部１１が選択した変調方式などの伝送パラメータと、パイロットシンボルと、を付加してバーストを作成し（ステップＳ３１６）、アンテナ１４より無線伝送路に出力される（ステップＳ３０９）。そしてアンテナより出力された信号は無線伝送路を伝搬して局１に到達する。
そして、局１においても上記局２と同様に動作する。【０１０５】
この実施の形態９によれば、実施の形態４と同様の効果を奏する。【０１０６】
実施の形態１０．
実施の形態９では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。【０１０７】
局１は、既知情報であり互いに所定の関係にある複数のパイロットシンボルで構成される第１のパイロットシンボルと変調方式を含む第１の伝送パラメータと、この第１の伝送パラメータによって変調された情報データ系列とを有する信号を伝送する。また、局２は上記第１のパイロットシンボルと、第３の信号電力対干渉電力比（信号電力対干渉電力比２）と、第３のパイロットシンボルと、予め決められた変調方式を含む第３の伝送パラメータによって変調された情報データ系列とを有する信号を伝送する。【０１０８】
図２９はこの実施の形態１０でも用いられる。
局１の構成は、図１３に示す構成から伝送パラメータ抽出部９とパイロットシンボル抽出部１８と伝搬路応答推定部１０と信号電力対干渉電力比２推定部１５を取り除いたものであり、その他の構成は実施の形態９のそれと同じである。
また、局２の構成は図１３に示す構成から信号電力対干渉電力比１推定部１７と信号電力対干渉電力比２抽出部２１と変調条件選択部１１を取り除いたものである。【０１０９】
また、この実施の形態１０において局１から局２へ伝送するバーストフォーマットは、図１４に示すバーストフォーマットから"信号電力対干渉電力比２"と、"パイロットシンボル抽出結果"を取り除いたものである。また、局２から局１へ伝送されるバーストのフォーマットは、図１４に示すバーストフォーマットから"用いられた伝送パラメータ"を取り除いたものである。
局１の動作手順は、図１５に示すフローチャートから伝送パラメータを抽出するステップＳ３０１と、パイロットシンボルを抽出するステップＳ３１１と、伝搬路応答を推定するステップＳ３０３と第２の信号電力対干渉電力比を推定するステップＳ３０４を取り除いたものであり、その他の構成は実施の形態９のそれと同じである。
また、局２の動作手順は、図１５に示すフローチャートから第３の信号電力対干渉電力比を抽出するステップＳ３１４と、第１の信号電力対干渉電力比を推定するステップＳ３１２と、伝送パラメータを選択するステップＳ３０６とを取り除いたものである。【０１１０】
次に、動作を説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１から送信された信号はバーストと呼ばれて無線伝送路を伝搬し、局２に到達する。このバーストには、第１のパイロットシンボルや局１が選択した変調方式（ＢＰＳＫ、ＱＰＳＫ、１６ＱＡＭなど）によって変調されたＤａｔａが含まれており、このときに用いた変調方式や符号化率等も第１の伝送パラメータとしてバーストに含まれている。【０１１１】
局２において、伝送パラメータ抽出部９は、受信アンテナ１３が受信した信号（バースト）から、局１が用いた変調方式等の第１の伝送パラメータを抽出し、この抽出された伝送パラメータを復調部８に対して通知する（ステップＳ３０１）。復調部８は、伝送パラメータ抽出部９から通知された伝送パラメータを用いて、受信アンテナ１３が受信したバースト中の情報データ系列を復調する（ステップＳ３０２）。【０１１２】
伝搬路応答推定部１０は、実施の形態９と同様に受信アンテナ１３が受け取った受信信号と予め局２が保有している上記第１のパイロットシンボルと同じ内容の第３のパイロットシンボルとの相互相関を演算することにより先行波の到来時点と１つ以上の遅延波の到来時点で相互相関値がピークとなる伝搬路応答を推定し、この推定された伝搬路応答を信号電力対干渉電力比２推定部１５へ通知する（ステップＳ３０３）。信号電力対干渉電力比２推定部１５は、この伝搬路応答推定結果を基に信号電力対干渉電力比２を算出（推定）し、この推定結果を変調部２２に対して通知する（ステップＳ３０４）。【０１１３】
パイロットシンボル抽出部１８は、受信アンテナ１３が受け取った信号から局１が使用するべきパイロットシンボル"Pilot"を抽出し、変調部２２に通知する（ステップＳ３１１）。【０１１４】
変調部２２は、予め決められていて、局２が保有している第３の伝送パラメータを用いて、ＧＩおよびＤａｔａを含む情報データ系列を変調する（ステップＳ３０７）。変調部２２は、さらに変調された情報データ系列に、信号電力対干渉電力比２推定部１５から通知された相手の局１が使用するべき"信号電力対干渉電力比２"と、パイロットシンボル抽出部１８から通知された相手の局１が使用するべき"パイロットシンボル抽出結果"と、予め局２が保有している、上記第１のパイロットシンボルと同じ内容の第２のパイロットシンボルと、を付加してバーストを作成し（ステップＳ３１６）、アンテナ１４より無線伝送路に出力する（ステップＳ３０９）。【０１１５】
このアンテナより出力されたバーストには、局２が用いた第３の伝送パラメータは含まれていない。これにより、バースト伝送の高速化を図ることができる。そして、このバーストは無線伝送路を伝搬して局１に到達する。【０１１６】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ３０２）。【０１１７】
また、信号電力対干渉電力比２抽出部２１は、受信アンテナ１３が受け取った信号から局２が使用するべき"信号電力対干渉電力比２"を抽出し、この抽出された"信号電力対干渉電力比２"を変調条件選択部１１に対して通知する（ステップＳ３１４）。【０１１８】
信号電力対干渉電力比１推定部１７は、受信アンテナ１３が受け取った信号から局２が使用するべき"パイロットシンボル抽出結果"を抽出し、これを基に信号電力対干渉電力比１を算出(推定)し、この推定結果を変調条件選択部１１に対して通知する(ステップＳ３１２)。【０１１９】
変調条件選択部１１は、信号電力対干渉電力比１推定部１７から通知された信号電力対干渉電力比１と信号電力対干渉電力比２抽出部２１から通知された信号電力対干渉電力比２を用いて、適用する変調条件(変調方式、符号化率、情報伝送速度等)のパラメータ（第２の伝送パラメータ）を決定し、この決定結果を変調部２２に対して通知する（ステップＳ３０６）。【０１２０】
変調部２２は、変調条件選択部１１から通知された第２の伝送パラメータを用いて、ＧＩおよびＤａｔａを含む情報データ系列を変調する（ステップＳ３０７）。変調部２２は、さらに変調された情報データ系列に、予め局２が保有している、上記第１のパイロットシンボルと同じ内容の第４のパイロットシンボルと、上記第２の伝送パラメータとをそれぞれ第１のパイロットシンボル、第１の伝送パラメータとして付加してバーストを作成し（ステップＳ３１６）、アンテナ１４より無線伝送路に出力する（ステップＳ３０９）。そしてアンテナより出力された信号は無線伝送路を伝搬して局２に到達する。
そして、局２において再び上記と同じ動作を行う。以降は局１と局２との間で以上の動作を繰り返す。【０１２１】
この実施の形態１０によれば、実施の形態９の効果に加えて、局２から局１へ第３の伝送パラメータを伝送しないので、実施の形態９に比べてバースト伝送の高速化を図ることができる。【０１２２】
実施の形態１１．
図２９に示す構成は実施の形態１１でも用いられ、図２９において局１の構成と局２の構成は異なる場合もあるが、ここでは説明を簡単にするために局１の構成と局２の構成は同じであるとする。図１６は、この発明に係る通信システムの実施の形態１１を示す構成図であり、局１も局２も同じ構成をとる。図１６において、図１、図１０、図１３と同符号は同一または相当部分を示す。通信システムは、受信アンテナ１３が受け取った信号から信号電力対干渉電力比１を抽出し、変調条件選択部１１へ通知する信号電力対干渉電力比１抽出部２３と、変調条件選択部１１から通知された伝送パラメータを用いて情報データ系列を変調するとともに伝搬路応答推定部１０から通知された伝搬路応答推定結果と信号電力対干渉電力比１推定部１６から通知された信号電力対干渉電力比１推定結果と用いられた伝送パラメータとパイロットシンボルを送信バーストに挿入する変調部２４とを備えている。【０１２３】
また、図１７は実施の形態１１において、局１と局２との広帯域無線伝送路を伝搬するバーストフォーマットの例を示す図であり、同図において、"Pilot"と"用いられた伝送パラメータ"の間に相手局が使用するべき"信号電力対干渉電力比１"と"伝搬路応答推定結果"が挿入されている以外は図３のバーストフォーマットと同じである。
また、図１８は実施の形態１１における局１、局２の動作を示すフローチャートである。【０１２４】
次に、実施の形態１１の動作を図１６〜図１８を参照して説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１はパイロットシンボル"Pilot"と、自局（この場合は局１）が決定した変調方式などの伝送パラメータと、相手局が使用するべき"信号電力対干渉電力比１"と、相手局が使用するべき"伝搬路応答推定結果"と、自局が決定した変調方式などの伝送パラメータを用いて変調した情報データ系列とを図１７に示すバーストとして無線伝送路へ送信し、このバーストは、無線伝送路を伝搬して局２のアンテナ１３に到達する。局２において、伝送パラメータ抽出部９は、受信アンテナ１３が受信した信号（バースト）から、局１が用いた変調方式などの伝送パラメータを抽出し、この抽出された伝送パラメータを復調部８に対して通知する（ステップＳ４０１）。復調部８は、伝送パラメータ抽出部９から通知された伝送パラメータを用いて、受信アンテナ１３が受信したバースト中の情報データ系列を復調する（ステップＳ４０２）。【０１２５】
伝搬路応答推定部１０は、実施の形態４と同様に受信アンテナ１３が受け取った受信信号と予め局２が保有しているパイロットシンボルとの相互相関を演算することにより伝搬路応答を推定し、この推定された伝搬路応答を相手局に通知するためにまず変調部２４に対して通知する（ステップＳ４０３）。【０１２６】
また、伝搬路応答抽出部１９は、受信アンテナ１３が受け取った信号から局２が使用するべき"伝搬路応答推定結果"を抽出し、この抽出された"伝搬路応答推定結果"を信号電力対干渉電力比２推定部１５に対して通知する（ステップＳ４１０）。信号電力対干渉電力比２推定部１５は、この"伝搬路応答推定結果"を基に実施の形態４及び実施の形態６と同様にして信号電力対干渉電力比２を算出（推定）し、この推定結果を変調条件選択部１１に対して通知する（ステップＳ４０４）。信号電力対干渉電力比１推定部１６は、受信アンテナ１３が受け取った信号内の複数のパイロットシンボル"Pilot"を基に実施の形態４と同様にして信号電力対干渉電力比１を推定し、変調部２４に対して通知する（ステップＳ４１２）。信号電力対干渉電力比１抽出部２３は、受信アンテナ１３が受け取った信号から局１が使用するべき"信号電力対干渉電力比１"を抽出し、変調条件選択部１１に通知する（ステップＳ４１５）。変調条件選択部１１は、信号電力対干渉電力比１抽出部２３から通知された信号電力対干渉電力比１と信号電力対干渉電力比２推定部１５から通知された信号電力対干渉電力比２を用いて、適用する変調条件(変調方式、符号化率、情報伝送速度等)のパラメータ（伝送パラメータ）を決定し、この決定結果を変調部２４に対して通知する（ステップＳ４０６）。【０１２７】
変調部２４は、変調条件選択部１１から通知された伝送パラメータを用いて、ＧＩおよびＤａｔａを含む情報データ系列を変調する（ステップＳ４０７）。変調部２４は、さらに変調された情報データ系列に、伝搬路応答推定部１０から通知された相手局（この場合は局１）が使用するべき"伝搬路応答推定結果"と、信号電力対干渉電力比１推定部１６から通知された相手局が使用するべき"信号電力対干渉電力比１"と、変調条件選択部１１が選択した変調方式などの伝送パラメータと、パイロットシンボルと、を付加してバーストを作成し（ステップＳ４１７）、アンテナ１４より無線伝送路に出力される（ステップＳ４０９）。そしてアンテナより出力された信号は無線伝送路を伝搬して局１に到達する。
そして、局１においても上記局２と同様に動作する。【０１２８】
この実施の形態１１によれば、実施の形態４と同様の効果を奏する。【０１２９】
実施の形態１２．
実施の形態１１では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。【０１３０】
局１は、既知情報であり互いに所定の関係にある複数のパイロットシンボルで構成される第１のパイロットシンボルと変調方式を含む第１の伝送パラメータと、この第１の伝送パラメータによって変調された情報データ系列とを有する信号を伝送する。また、局２は上記第１のパイロットシンボルと、信号電力対干渉電力比１推定結果と、伝搬路応答推定結果と、予め決められた変調方式を含む第３の伝送パラメータによって変調された情報データ系列とを有する信号を伝送する。【０１３１】
図２９はこの実施の形態１２でも用いられる。
局１の構成は、図１６に示す構成から伝送パラメータ抽出部９と信号電力対干渉電力比１推定部１６と伝搬路応答推定部１０を取り除いたものであり、その他の構成は実施の形態１１のそれと同じである。
また、局２の構成は図１６に示す構成から伝搬路応答抽出部１９と信号電力対干渉電力比１抽出部２３と信号電力対干渉電力比２推定部１５と変調条件選択部１１とを取り除いたものである。【０１３２】
また、この実施の形態１２において局１から局２へ伝送するバーストフォーマットは、図１７に示すバーストフォーマットから"伝送路応答推定結果"と、"信号電力対干渉電力比１"を取り除いたものである。また、局２から局１へ伝送されるバーストのフォーマットは、図１７に示すバーストフォーマットから"用いられた伝送パラメータ"を取り除いたものである。
局１の動作手順は、図１８に示すフローチャートから伝送パラメータを抽出するステップＳ４０１と、第１の信号電力対干渉電力比を推定するステップＳ４１２と、伝搬路応答を推定するステップＳ４０３を取り除いたものであり、その他の構成は実施の形態１１のそれと同じである。
また、局２の動作手順は、図１８に示すフローチャートから伝搬路応答を抽出するステップＳ４１０と、第２の信号電力対干渉電力比を推定するステップＳ４０４と、第３の信号電力対干渉電力比を抽出するステップＳ４１５と、伝送パラメータを選択するステップＳ４０６とを取り除いたものである。【０１３３】
次に、動作を説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１から送信された信号はバーストと呼ばれて無線伝送路を伝搬し、局２に到達する。このバーストには、第１のパイロットシンボルや局１が選択した変調方式（ＢＰＳＫ、ＱＰＳＫ、１６ＱＡＭなど）によって変調されたＤａｔａが含まれており、このときに用いた変調方式や符号化率等も第１の伝送パラメータとしてバーストに含まれている。【０１３４】
局２において、伝送パラメータ抽出部９は、受信アンテナ１３が受信した信号（バースト）から、局１が用いた変調方式等の第１の伝送パラメータを抽出し、この抽出された伝送パラメータを復調部８に対して通知する（ステップＳ４０１）。復調部８は、伝送パラメータ抽出部９から通知された伝送パラメータを用いて、受信アンテナ１３が受信したバースト中の情報データ系列を復調する（ステップＳ４０２）。【０１３５】
伝搬路応答推定部１０は、実施の形態１１と同様に受信アンテナ１３が受け取った受信信号と予め局２が保有している上記第１のパイロットシンボルと同じ内容の第３のパイロットシンボルとの相互相関を演算することにより先行波の到来時点と１つ以上の遅延波の到来時点で相互相関値がピークとなる伝搬路応答を推定し、この推定された伝搬路応答を相手の局１に通知するためにまず変調部２４に対して通知する（ステップＳ４０３）。【０１３６】
信号電力対干渉電力比１推定部１６は、受信アンテナ１３が受け取った信号内の複数のパイロットシンボル"Pilot"を基に実施の形態４と同様にして信号電力対干渉電力比１を推定し、変調部２４に通知する（ステップＳ４１２）。【０１３７】
変調部２４は、予め決められていて、局２が保有している第３の伝送パラメータを用いて、ＧＩおよびＤａｔａを含む情報データ系列を変調する（ステップＳ４０７）。変調部２４は、さらに変調された情報データ系列に、伝搬路応答推定部１０から通知された相手の局１が使用するべき"伝搬路応答推定結果"と、信号電力対干渉電力比１推定部１６から通知された相手の局１が使用するべき"信号電力対干渉電力比１"と、パイロットシンボルと、を付加してバーストを作成し（ステップＳ４１７）、アンテナ１４より無線伝送路に出力する（ステップＳ４０９）。【０１３８】
このアンテナより出力されたバーストには、局２が用いた第３の伝送パラメータは含まれていない。これにより、バースト伝送の高速化を図ることができる。そして、このバーストは無線伝送路を伝搬して局１に到達する。【０１３９】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ４０２）。【０１４０】
また、伝搬路応答抽出部１９は、受信アンテナ１３が受け取った信号から局２が使用するべき"伝搬路応答推定結果"を抽出し、この抽出された"伝搬路応答推定結果"を信号電力対干渉電力比２推定部１５に対して通知する（ステップＳ４１０）。信号電力対干渉電力比２推定部１５は、この"伝搬路応答推定結果"を基に信号電力対干渉電力比２を算出（推定）し、この推定結果を変調条件選択部１１に対して通知する（ステップＳ４０４）。【０１４１】
信号電力対干渉電力比１抽出部２３は、受信アンテナ１３が受け取った信号から局２が使用するべき"信号電力対干渉電力比１"を抽出し、この"信号電力対干渉電力比１"を変調条件選択部１１に対して通知する(ステップＳ４１５)。【０１４２】
変調条件選択部１１は、信号電力対干渉電力比１抽出部２３から通知された信号電力対干渉電力比１と信号電力対干渉電力比２推定部１５から通知された信号電力対干渉電力比２を用いて、適用する変調条件(変調方式、符号化率、情報伝送速度等)のパラメータ（第２の伝送パラメータ）を決定し、この決定結果を変調部２４に対して通知する（ステップＳ４０６）。【０１４３】
変調部２４は、変調条件選択部１１から通知された第２の伝送パラメータを用いて、ＧＩおよびＤａｔａを含む情報データ系列を変調する（ステップＳ４０７）。変調部２４は、さらに変調された情報データ系列に、予め局２が保有している、上記第１のパイロットシンボルと同じ内容の第２のパイロットシンボルと、上記第２の伝送パラメータとをそれぞれ第１のパイロットシンボル、第１の伝送パラメータとして付加してバーストを作成し（ステップＳ４１７）、アンテナ１４より無線伝送路に出力する（ステップＳ４０９）。そしてアンテナより出力された信号は無線伝送路を伝搬して局２に到達する。
そして、局２において再び上記と同じ動作を行う。以降は局１と局２との間で以上の動作を繰り返す。【０１４４】
この実施の形態１２によれば、実施の形態１１の効果に加えて、局２から局１へ第３の伝送パラメータを伝送しないので、実施の形態１１に比べてバースト伝送の高速化を図ることができる。【０１４５】
実施の形態１３.
図２９に示す構成は実施の形態１３でも用いられ、図２９において局１の構成と局２の構成は異なる場合もあるが、ここでは説明を簡単にするために局１の構成と局２の構成は同じであるとする。図１９は、この発明に係る通信システムの実施の形態１３を示す構成図であり、局１も局２も同じ構成をとる。図１９において、図１、図１０、図１３、図１６と同符号は同一または相当部分を示す。通信システムは、変調条件選択部１１から通知された伝送パラメータを用いて情報データ系列を変調するとともに信号電力対干渉電力比１推定部１６から通知された信号電力対干渉電力比１推定結果と信号電力対干渉電力比２推定部１５から通知された信号電力対干渉電力比２推定結果と用いられた伝送パラメータとパイロットシンボルを送信バーストに挿入する変調部２５を備えている。【０１４６】
また、図２０は実施の形態１３において、局１と局２との広帯域無線伝送路を伝搬するバーストフォーマットの例を示す図であり、同図において、"Pilot"と"用いられた伝送パラメータ"の間に相手局が使用するべき"信号電力対干渉電力比１"と"信号電力対干渉電力比２"が挿入されている以外は図３のバーストフォーマットと同じである。
また、図２１は実施の形態１３における局１、局２の動作を示すフローチャートである。【０１４７】
次に、実施の形態１３の動作を図１９〜図２１を参照して説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１はパイロットシンボル"Pilot"と、自局（この場合は局１）が決定した変調方式などの伝送パラメータと、相手局が使用するべき"信号電力対干渉電力比１"と、相手局が使用するべき"信号電力対干渉電力比２"と、自局が決定した変調方式などの伝送パラメータを用いて変調した情報データ系列とを図２０に示すバーストとして無線伝送路へ送信し、このバーストは、無線伝送路を伝搬して局２のアンテナ１３に到達する。局２において、伝送パラメータ抽出部９は、受信アンテナ１３が受信した信号（バースト）から、局１が用いた変調方式などの伝送パラメータを抽出し、この抽出された伝送パラメータを復調部８に対して通知する（ステップＳ５０１）。復調部８は、伝送パラメータ抽出部９から通知された伝送パラメータを用いて、受信アンテナ１３が受信したバースト中の情報データ系列を復調する（ステップＳ５０２）。【０１４８】
伝搬路応答推定部１０は、実施の形態４と同様に受信アンテナ１３が受け取った受信信号と予め局２が保有しているパイロットシンボルとの相互相関を演算することにより伝搬路応答を推定し、信号電力対干渉電力比２推定部１５に対して通知する（ステップＳ５０３）。信号電力対干渉電力比２推定部１５は、伝搬路応答推定部１０から通知された伝搬路応答推定結果を基に実施の形態４及び実施の形態６と同様にして信号電力対干渉電力比２を算出（推定）し、この推定結果を変調部２５に対して通知する（ステップＳ５０４）。信号電力対干渉電力比２抽出部２１は、受信アンテナ１３が受け取った信号から局２が使用するべき"信号電力対干渉電力比２"を抽出し、この抽出された"信号電力対干渉電力比２"を変調条件選択部１１に対して通知する（ステップＳ５１４）。信号電力対干渉電力比１推定部１６は、受信アンテナ１３が受け取った信号内の複数のパイロットシンボル"Pilot"を基に実施の形態４と同様にして信号電力対干渉電力比１を推定し、変調部２５に対して通知する（ステップＳ５１２）。信号電力対干渉電力比１抽出部２３は、受信アンテナ１３が受け取った信号から局１が使用するべき"信号電力対干渉電力比１"を抽出し、変調条件選択部１１に通知する（ステップＳ５１５）。変調条件選択部１１は、信号電力対干渉電力比１抽出部２３から通知された信号電力対干渉電力比１と信号電力対干渉電力比２抽出部２１から通知された信号電力対干渉電力比２を用いて、適用する変調条件(変調方式、符号化率、情報伝送速度等)のパラメータ（伝送パラメータ）を決定し、この決定結果を変調部２５に対して通知する（ステップＳ５０６）。【０１４９】
変調部２５は、変調条件選択部１１から通知された伝送パラメータを用いて、ＧＩおよびＤａｔａを含む情報データ系列を変調する（ステップＳ５０７）。変調部２５は、さらに変調された情報データ系列に、信号電力対干渉電力比１推定部１６から通知された相手局が使用するべき"信号電力対干渉電力比１"と、信号電力対干渉電力比２推定部１５から通知された相手局（この場合は局１）が使用するべき"信号電力対干渉電力比２"と、変調条件選択部１１が選択した変調方式などの伝送パラメータと、パイロットシンボルと、を付加してバーストを作成し（ステップＳ５１８）、アンテナ１４より無線伝送路に出力される（ステップＳ５０９）。そしてアンテナより出力された信号は無線伝送路を伝搬して局１に到達する。
そして、局１においても上記局２と同様に動作する。【０１５０】
この実施の形態１３によれば、実施の形態４と同様の効果を奏する。【０１５１】
実施の形態１４．
実施の形態１３では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。【０１５２】
局１は、既知情報であり互いに所定の関係にある複数のパイロットシンボルで構成される第１のパイロットシンボルと変調方式を含む第１の伝送パラメータと、この第１の伝送パラメータによって変調された情報データ系列とを有する信号を伝送する。また、局２は上記第１のパイロットシンボルと、信号電力対干渉電力比１と、信号電力対干渉電力比２と、予め決められた変調方式を含む第３の伝送パラメータによって変調された情報データ系列とを有する信号を伝送する。【０１５３】
図２９はこの実施の形態１４でも用いられる。
局１の構成は、図１９に示す構成から伝送パラメータ抽出部９と信号電力対干渉電力比１推定部１６と伝搬路応答推定部１０と信号電力対干渉電力比２推定部１５を取り除いたものであり、その他の構成は実施の形態１３のそれと同じである。
また、局２の構成は図１９に示す構成から信号電力対干渉電力比１抽出部２３と、信号電力対干渉電力比２抽出部２１と、変調条件選択部１１とを取り除いたものである。【０１５４】
また、この実施の形態１４において局１から局２へ伝送するバーストフォーマットは、図２０に示すバーストフォーマットから"信号電力対干渉電力比１"と、"信号電力対干渉電力比２"を取り除いたものである。局２から局１へ伝送されるバーストのフォーマットは、図２０に示すバーストフォーマットから"用いられた伝送パラメータ"を取り除いたものである。
局１の動作手順は、図２１に示すフローチャートから伝送パラメータを抽出するステップＳ５０１と、第１の信号電力対干渉電力比（信号電力対干渉電力比１）を推定するステップＳ５１２と、伝搬路応答を推定するステップＳ５０３と、第２の信号電力対干渉電力比（信号電力対干渉電力比２）を推定するステップＳ５０４を取り除いたものであり、その他の構成は実施の形態１３のそれと同じである。
また、局２の動作手順は、図２１に示すフローチャートから第３の信号電力対干渉電力比（信号電力対干渉電力比１）を抽出するステップＳ５１５と、第４の信号電力対干渉電力比（信号電力対干渉電力比２）を抽出するステップＳ５１４と、伝送パラメータを選択するステップＳ５０６とを取り除いたものである。【０１５５】
次に、動作を説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１から送信された信号はバーストと呼ばれて無線伝送路を伝搬し、局２に到達する。このバーストには、第１のパイロットシンボルや局１が選択した変調方式（ＢＰＳＫ、ＱＰＳＫ、１６ＱＡＭなど）によって変調されたＤａｔａが含まれており、このときに用いた変調方式や符号化率等も第１の伝送パラメータとしてバーストに含まれている。【０１５６】
局２において、伝送パラメータ抽出部９は、受信アンテナ１３が受信した信号（バースト）から、局１が用いた変調方式等の第１の伝送パラメータを抽出し、この抽出された伝送パラメータを復調部８に対して通知する（ステップＳ５０１）。復調部８は、伝送パラメータ抽出部９から通知された伝送パラメータを用いて、受信アンテナ１３が受信したバースト中の情報データ系列を復調する（ステップＳ５０２）。【０１５７】
伝搬路応答推定部１０は、実施の形態１３と同様に受信アンテナ１３が受け取った受信信号と予め局２が保有している上記第１のパイロットシンボルと同じ内容の第３のパイロットシンボルとの相互相関を演算することにより先行波の到来時点と１つ以上の遅延波の到来時点で相互相関値がピークとなる伝搬路応答を推定し、この推定された伝搬路応答を信号電力対干渉電力比２推定部１５に対して通知する（ステップＳ５０３）。信号電力対干渉電力比２推定部１５は、この伝搬路応答推定結果を基に第２の信号電力対干渉電力比（信号電力対干渉電力比２）を算出（推定）し、この推定結果を変調部２５に対して通知する（ステップＳ５０４）。【０１５８】
信号電力対干渉電力比１推定部１６は、受信アンテナ１３が受け取った信号内の複数のパイロットシンボル"Pilot"を基に実施の形態４と同様にして第１の信号電力対干渉電力比（信号電力対干渉電力比１）を推定し、変調部２５に対して通知する（ステップＳ５１２）。【０１５９】
変調部２５は、予め決められていて、局２が保有している第３の伝送パラメータを用いて、ＧＩおよびＤａｔａを含む情報データ系列を変調する（ステップＳ５０７）。変調部２５は、さらに変調された情報データ系列に、信号電力対干渉電力比２推定部１５から通知された相手の局１が使用するべき"信号電力対干渉電力比２"と、信号電力対干渉電力比１推定部１６から通知された相手の局１が使用するべき"信号電力対干渉電力比１"と、パイロットシンボルと、を付加してバーストを作成し（ステップＳ５１８）、アンテナ１４より無線伝送路に出力する（ステップＳ５０９）。【０１６０】
このアンテナより出力されたバーストには、局２が用いた第３の伝送パラメータは含まれていない。これにより、バースト伝送の高速化を図ることができる。そして、このバーストは無線伝送路を伝搬して局１に到達する。【０１６１】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ５０２）【０１６２】
また、信号電力対干渉電力比１抽出部２３は、受信アンテナ１３が受け取った信号から局１が使用するべき第３の信号電力対干渉電力比（"信号電力対干渉電力比１"）を抽出し、この抽出された"信号電力対干渉電力比１"を変調条件選択部１１に対して通知する（ステップＳ５１２）。【０１６３】
また、信号電力対干渉電力比２抽出部２１は、受信アンテナ１３が受け取った信号から局１が使用するべき第４の信号電力対干渉電力比（"信号電力対干渉電力比２"）を抽出し、この抽出された"信号電力対干渉電力比２"を変調条件選択部１１に対して通知する（ステップＳ５１４）。【０１６４】
変調条件選択部１１は、信号電力対干渉電力比１抽出部２３から通知された信号電力対干渉電力比１と信号電力対干渉電力比２抽出部２１から通知された信号電力対干渉電力比２を用いて、適用する変調条件(変調方式、符号化率、情報伝送速度等)のパラメータ（第２の伝送パラメータ）を決定し、この決定結果を変調部２５に対して通知する（ステップＳ５０６）。【０１６５】
変調部２５は、変調条件選択部１１から通知された第２の伝送パラメータを用いて、ＧＩおよびＤａｔａを含む情報データ系列を変調する（ステップＳ５０７）。変調部２５は、さらに変調された情報データ系列に、予め局２が保有している、上記第１のパイロットシンボルと同じ内容の第２のパイロットシンボルと、上記第２の伝送パラメータとをそれぞれ第１のパイロットシンボル、第１の伝送パラメータとして付加してバーストを作成し（ステップＳ２１３）、アンテナ１４より無線伝送路に出力する（ステップＳ５０９）。そしてアンテナより出力された信号は無線伝送路を伝搬して局２に到達する。
そして、局２において再び上記と同じ動作を行う。以降は局１と局２との間で以上の動作を繰り返す。【０１６６】
この実施の形態１４によれば、実施の形態１３の効果に加えて、局２から局１へ第３の伝送パラメータを伝送しないので、実施の形態１３に比べてバースト伝送の高速化を図ることができる。【０１６７】
実施の形態１５．
図２９に示す構成は実施の形態１５でも用いられ、図２９において局１の構成と局２の構成は異なる場合もあるが、ここでは説明を簡単にするために局１の構成と局２の構成は同じであるとする。図２２は、この発明に係る通信システムの実施の形態１５を示す構成図であり、局１も局２も同じ構成をとる。図２２において、図１、図１０、図１３、図１６、図１９と同符号は同一または相当部分を示す。通信システムは、受信アンテナ１３で受け取った信号から、相手側から通知された変調方式等の伝送パラメータを抽出し、変調部２７へ通知する伝送パラメータ推定部２６と、伝送パラメータ推定部２６から通知された伝送パラメータを用いて情報データ系列を変調するとともに相手局が使用するべき伝送パラメータと用いられた伝送パラメータとパイロットシンボルを送信バーストに挿入する変調部２７とを備えている。【０１６８】
また、図２３は実施の形態１５において、局１と局２との広帯域無線伝送路を伝搬するバーストフォーマットの例を示す図であり、同図において、"Pilot"と"用いられた伝送パラメータ"の間に"相手局が使用するべき伝送パラメータ"が挿入されている以外は図３のバーストフォーマットと同じである。
また、図２４は実施の形態１５における局１、局２の動作を示すフローチャートである。【０１６９】
次に、実施の形態１５の動作を図２２〜図２４を参照して説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
まず、局１は、自局が決定した変調方式などの伝送パラメータと、予め決められているパイロットシンボルと、自局が決定した伝送パラメータを用いて変調した情報データ系列と、"相手局（この場合は局２）が使用するべき伝送パラメータ"を図２３に示すバーストとして無線伝送路へ送信し、このバーストは、無線伝送路を伝搬して局２のアンテナ１３に到達する。局２では、伝送パラメータ抽出部９は、受信アンテナ１３が受け取った信号（バースト）から、局１が使用した変調方式などの伝送パラメータを抽出し、復調部８へ通知する（ステップＳ６０１）。復調部８は伝送パラメータ抽出部９から通知された伝送パラメータを用いて、受信アンテナ１３が受信したバースト中の情報データ系列を復調する（ステップＳ６０２）。【０１７０】
伝搬路応答推定部１０は、実施の形態４と同様に受信アンテナ１３が受け取った信号波形と予め局２が保有しているパイロットシンボルとの相互相関を演算することにより伝搬路応答を推定し、その推定結果を信号電力対干渉電力比２推定部１５に対して通知する（ステップＳ６０３）。信号電力対干渉電力比２推定部１５は伝搬路応答推定結果を基に実施の形態４及び実施の形態６と同様にして信号電力対干渉電力比２を算出（推定）し、この推定した信号電力対干渉電力比２を変調条件選択部１１に対して通知する（ステップＳ６０４）。信号電力対干渉電力比１推定部１６は、受信アンテナ１３が受け取った信号内の複数のパイロットシンボル"Pilot"を基に実施の形態４と同様にして信号電力対干渉電力比１を推定し、この推定した信号電力対干渉電力比１を変調条件選択部１１に対して通知する（ステップＳ６１２）。変調条件選択部１１は、信号電力対干渉電力比１推定部１６から通知された信号電力対干渉電力比１と信号電力対干渉電力比２推定部１５から通知された信号電力対干渉電力比２を用いて、相手局（この場合は局１）が次回の送信時に使用するべき伝送パラメータを決定し、相手局（局１）に伝えるために、まず変調部２７に対して通知する（ステップＳ６０６）。【０１７１】
一方、伝送パラメータ推定部２６は、受信アンテナ１３が受け取った信号（バースト）から、相手局（この場合は局１）から次回の送信時に自局（この場合は局２）が使用するべきものとして通知された伝送パラメータを抽出し、この抽出された伝送パラメータを変調部２７に対して通知する（ステップＳ６０８）。【０１７２】
変調部２７は、伝送パラメータ推定部２６から通知された変調方式などの伝送パラメータを用いて、ＧＩおよびＤａｔａを含む情報データ系列を変調する（ステップＳ６０７）。変調部２７は、さらにこの変調された情報データ系列に、相手局（この場合は局１）が次回の送信時に使用するべき伝送パラメータと、予め決められたパイロットシンボルと、変調で使用した変調方式などの伝送パラメータとを付加してバーストを作成する（ステップＳ６１９）。こうして作成されたバーストをアンテナ１４より無線伝送路に出力される（ステップＳ６０９）。そしてアンテナより出力された信号は無線伝送路を伝搬して局１に到達する。
そして、局１においても上記局２と同様に動作する。【０１７３】
実施の形態１６．
実施の形態１５では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。また、ここでは、局１が使用するべき第５の伝送パラメータ（第1の伝送パラメータ）を局２が指定するような形態について説明する。【０１７４】
局１は、既知情報であり互いに所定の関係にある複数のパイロットシンボルで構成される第１のパイロットシンボルと、変調方式を含む使用済みの第５の伝送パラメータを意味する第１の伝送パラメータと、この第１の伝送パラメータによって変調された情報データ系列とを有する信号を伝送する。また、局２は上記第１のパイロットシンボルと、上記局１が使用するべき第５の伝送パラメータと、予め決められた変調方式を含む第３の伝送パラメータによって変調された情報データ系列とを有する信号を伝送する。【０１７５】
図２９はこの実施の形態１６でも用いられる。
局１の構成は、図２２に示す構成から伝送パラメータ抽出部９と、伝搬路応答推定部１０と、信号電力対干渉電力比１推定部１６と、信号電力対干渉電力比２推定部１５と、変調条件選択部１１を取り除いたものであり、その他の構成は実施の形態１５のそれと同じである。
また、局２の構成は図２２に示す構成から伝送パラメータ推定部２６を取り除いたものである。【０１７６】
また、この実施の形態１６において局１から局２へ伝送されるバーストのフォーマットは、図２３に示すバーストフォーマットから"相手局が使用するべき伝送パラメータ"を示す第５の伝送パラメータを取り除いたものである。局２から局１へ伝送されるバーストのフォーマットは、図２３に示すバーストフォーマットから"用いられた伝送パラメータ"を取り除いたものである。
局１の動作手順は、図２４に示すフローチャートから伝送パラメータを抽出するステップＳ６０１と、伝搬路応答を推定するステップＳ６０３と、第２の信号電力対干渉電力比を推定するステップＳ６０４と、第１の信号電力対干渉電力比を推定するステップＳ６１２と、伝送パラメータを選択するステップＳ６０６を取り除いたものであり、その他の構成は実施の形態１５のそれと同じである。
また、局２の動作手順は、図２４に示すフローチャートから第２の伝送パラメータを抽出するステップS６０８を取り除いたものである。【０１７７】
次に、動作を説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１から送信された信号はバーストと呼ばれて無線伝送路を伝搬し、局２に到達する。このバーストには、第１のパイロットシンボルや局１が選択した変調方式（ＢＰＳＫ、ＱＰＳＫ、１６ＱＡＭなど）によって変調されたＤａｔａが含まれており、このときに用いた変調方式や符号化率等も第１の伝送パラメータとしてバーストに含まれている。【０１７８】
局２において、伝送パラメータ抽出部９は、受信アンテナ１３が受信した信号（バースト）から、局１が用いた変調方式等の第１の伝送パラメータを抽出し、この抽出された第１の伝送パラメータを復調部８に対して出力する。復調部８は、伝送パラメータ抽出部９から送られた第１の伝送パラメータを用いて、受信アンテナ１３が受信したバースト中のＤａｔａ信号を復調する（ステップＳ６０２）。【０１７９】
また、伝搬路応答推定部１０は、受信アンテナ１３が受け取った信号波形と予め局２が保有している上記第１のパイロットシンボルと同じ内容の第２のパイロットシンボルとの相互相関を演算することにより伝搬路応答を推定し、その推定結果を信号電力対干渉電力比２推定部１５に対して通知する（ステップＳ６０３）。信号電力対干渉電力比２推定部１５は伝搬路応答推定結果を基に実施の形態１５と同様にして第２の信号電力対干渉電力比（信号電力対干渉電力比２）を算出（推定）し、この推定した信号電力対干渉電力比２を変調条件選択部１１に対して通知する（ステップＳ６０４）。信号電力対干渉電力比１推定部１６は、受信アンテナ１３が受け取った信号内の複数のパイロットシンボル"Pilot"を基に実施の形態１５と同様にして第１の信号電力対干渉電力比（信号電力対干渉電力比１）を推定し、この推定した信号電力対干渉電力比１を変調条件選択部１１に対して通知する（ステップＳ６１２）。変調条件選択部１１は、信号電力対干渉電力比１推定部１６から通知された信号電力対干渉電力比１と信号電力対干渉電力比２推定部１５から通知された信号電力対干渉電力比２を用いて、相手局（この場合は局１）が次回の送信時に使用するべき第５の伝送パラメータを決定し、相手の局１に伝えるために、まず変調部２７に対して通知する（ステップＳ６０６）。【０１８０】
変調部２７は、予め決められていて、局２が保有している第３の伝送パラメータを用いてＧＩおよびＤａｔａを含む情報データ系列を変調する（ステップＳ６０７）。【０１８１】
変調部２７は、さらに変調した情報データ系列に、予め保有している、上記第１のパイロットシンボルと同じ内容の第２のパイロットシンボルを第１のパイロットシンボルとして付加し、さらに上記第５の伝送パラメータを付加してバーストを作成する。こうして作成されたバーストをアンテナ１４より無線伝送路に出力する（ステップＳ６０９）。【０１８２】
このアンテナより出力されたバーストには、第１のパイロットシンボルや局２が保有する変調方式によって変調されたＤａｔａが含まれているが、局２が用いた第３の伝送パラメータは含まれていない。これにより、バースト伝送の高速化を図ることができる。そして、このバーストは無線伝送路を伝搬して局１に到達する。【０１８３】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ６０２）。【０１８４】
一方、伝送パラメータ推定部２６は、受信アンテナ１３が受け取った局２からの信号（バースト）から、第５の伝送パラメータを抽出し、この抽出された第５の伝送パラメータを変調部２７に対して通知する（ステップＳ６０８）。【０１８５】
変調部２７は、通知された第５の伝送パラメータを用いてＧＩおよびＤａｔａを含む情報データ系列を変調する（ステップＳ６０７）。変調部２７は、さらに変調した情報データ系列に、予め保有する、上記第１のパイロットシンボルと同じ内容の第３のパイロットシンボルと、変調に使用した第５の伝送パラメータとをそれぞれ第１のパイロットシンボル、第１の伝送パラメータとして付加してバーストを作成する（ステップＳ６１９）。こうして作成されたバーストをアンテナ１４より無線伝送路に出力する（ステップＳ６０９）。そしてアンテナより出力された信号は無線伝送路を伝搬して局２に到達する。そして、局２において再び上記と同じ動作を行う。以降は局１と局２との間で以上の動作を繰り返す。【０１８６】
この実施の形態１６によれば、実施の形態１５の効果に加えて、局２から局１へ第３の伝送パラメータを伝送しないので、実施の形態１５に比べてバースト伝送の高速化を図ることができる。【０１８７】
実施の形態１７．
図２９に示す構成は実施の形態１７でも用いられ、図２９において局１の構成と局２の構成は異なる場合もあるが、ここでは説明を簡単にするために局１の構成と局２の構成は同じであるとする。図２５は、この発明に係る通信システムの実施の形態１７を示す構成図である。図２５において、図１、図１０、図１３、図１６、図１９、図２２と同符号は同一または相当部分を示す。図２５において、通信システムは、変調条件選択部１１から通知された伝送パラメータを記憶しておき、次回復調時にその伝送パラメータを復調部８に通知する伝送パラメータ記憶部２８と、伝送パラメータ推定部２６から通知された伝送パラメータを用いて情報データ系列を変調するとともに相手局が使用するべき伝送パラメータとパイロットシンボルを送信バーストに挿入する変調部２９とを備えている。【０１８８】
また、図２６は実施の形態１７において、局１と局２との広帯域無線伝送路を伝搬するバーストフォーマットの例を示す図であり、同図において、"用いられた伝送パラメータ"の代わりに"相手局が使用するべき伝送パラメータ"が挿入されている以外は図３のバーストフォーマットと同じである。
また、図２７は実施の形態１７における局１、局２の動作を示すフローチャートである。【０１８９】
次に、実施の形態１７の動作を図２５〜図２７を参照して説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
図２５において、伝搬路応答推定部１０は、実施の形態４と同様に受信アンテナ１３が受け取った信号波形と予め局２が保有しているパイロットシンボルとの相互相関を演算することにより伝搬路応答を推定し、その推定結果を信号電力対干渉電力比２推定部１５に対して通知する（ステップＳ７０３）。信号電力対干渉電力比２推定部１５は、伝搬路応答推定部１０が推定した伝搬路応答を基に実施の形態４及び実施の形態６と同様にして信号電力対干渉電力比２を推定し、その推定結果を変調条件選択部１１に対して通知する（ステップＳ７０４）。信号電力対干渉電力比１推定部１６は、受信アンテナ１３が受け取った信号内の複数のパイロットシンボル"Pilot"を基に実施の形態４と同様にして信号電力対干渉電力比１を推定し、この推定した信号電力対干渉電力比１を変調条件選択部１１に対して通知する（ステップＳ７１２）。
変調条件選択部１１は、信号電力対干渉電力比１推定部１６から通知された信号電力対干渉電力比１と信号電力対干渉電力比２推定部１５から通知された信号電力対干渉電力比２を用いて、相手側が次回の送信時に用いる変調方式等の伝送パラメータを決定し、伝送パラメータ記憶部２８に出力するとともに変調部２９に対して通知する（ステップＳ７０６）。【０１９０】
伝送パラメータ記憶部２８は、変調条件選択部１１からの伝送パラメータを記憶する（ステップＳ７１０）。復調部８は、次回の復調時に伝送パラメータ記憶部２８からこの伝送パラメータを読み出し（ステップＳ７２０）、この伝送パラメータを用いて、受信アンテナ１３が受け取った信号を復調する（ステップＳ７０２）。伝送パラメータ推定部２６は、受信アンテナ１３が受け取った信号（バースト）から、相手側から通知された自局が使用するべき変調方式などの伝送パラメータを抽出し、この抽出した伝送パラメータを変調部２９に対して通知する（ステップＳ７０８）。【０１９１】
変調部２９は、伝送パラメータ推定部２６から通知された伝送パラメータを用いて、ＧＩおよびＤａｔａを含む情報データ系列を変調する（ステップＳ７０７）。変調部２９は、さらにこの変調された情報データ系列に、相手局（この場合は局１）が次回の送信時に使用するべき伝送パラメータと、予め決められたパイロットシンボルとを付加してバーストを作成する（ステップＳ７２１）。こうして作成されたバーストをアンテナ１４より無線伝送路に出力される（ステップＳ７０９）。そしてアンテナより出力された信号は無線伝送路を伝搬して局１に到達する。
そして、局１においても上記局２と同様に動作する。【０１９２】
この実施の形態１７によれば、実施の形態１６と同様の効果に加えて、保存された伝送パラメータを用いて、受信アンテナが受け取った信号を復調するので、より確実に復調ができる。また、当該伝送パラメータを伝送する必要がないため、伝送速度の高速化を図ることができる。【０１９３】
実施の形態１８．
実施の形態１７では局１と局２が同じ構成である場合を例として説明したが、ここでは、局１と局２の構成が異なる場合（例えば局１は基地局、局２は移動端末である場合）について説明する。この実施の形態では局１で変調等に使用する第１の伝送パラメータは無線伝送路の品質に応じて適応的に変化するが、局２で変調等に使用する第３の伝送パラメータは予め決められているとする。【０１９４】
局１は、既知情報であり互いに所定の関係にある複数のパイロットシンボルで構成される第１のパイロットシンボルと、変調方式を含む第５の伝送パラメータによって変調された情報データ系列とを有する信号を伝送する。また、局２は上記第１のパイロットシンボルと、上記局１が使用するべき第５の伝送パラメータと、予め決められた変調方式を含む第３の伝送パラメータによって変調された情報データ系列とを有する信号を伝送する。【０１９５】
図２９はこの実施の形態１８でも用いられる。
局１の構成は、図２５に示す構成から伝送パラメータ記憶部２８と、伝搬路応答推定部１０と、信号電力対干渉電力比１推定部１６と、信号電力対干渉電力比２推定部１５と変調条件選択部１１を取り除いたものであり、その他の構成は実施の形態１７のそれと同じである。
また、局２の構成は図２５に示す構成から伝送パラメータ推定部２６を取り除いたものである。【０１９６】
また、この実施の形態１８において局１から局２へ伝送されるバーストのフォーマットは、図２６に示すバーストフォーマットから"相手局が使用するべき伝送パラメータ"を示す第５の伝送パラメータを取り除いたものである。局２から局１へ伝送されるバーストのフォーマットは、図２６に示すバーストフォーマットと同じものである。
局１の動作手順は、図２７に示すフローチャートから前回記憶した伝送パラメータを読み出すステップＳ７２０と、伝搬路応答を推定するステップＳ７０３と、第２の信号電力対干渉電力比を推定するステップＳ７０４と、第１の信号電力対干渉電力比を推定するステップＳ７１２と、伝送パラメータを選択するステップＳ７０６と、伝送パラメータを記憶するステップＳ７１０を取り除いたものであり、その他の構成は実施の形態１７のそれと同じである。
また、局２の動作手順は、図２７に示すフローチャートから第２の伝送パラメータを抽出するステップS７０８を取り除いたものである。【０１９７】
次に、動作を説明する。
変調条件選択部における伝送パラメータの選択方法は実施の形態１〜３と同様である。
信号電力対干渉電力比１、信号電力対干渉電力比２の算出方法については実施の形態４及び実施の形態６と同様である。
局１から送信された信号はバーストと呼ばれて無線伝送路を伝搬し、局２に到達する。このバーストには、第１のパイロットシンボルや局１が選択した変調方式（ＢＰＳＫ、ＱＰＳＫ、１６ＱＡＭなど）によって変調されたＤａｔａが含まれている。【０１９８】
局２において、復調部８は、伝送パラメータ記憶部２８に記憶されている第５の伝送パラメータを読み出し（ステップS７２０）、読み出した第５の伝送パラメータを用いて、受信アンテナ１３が受信したバースト中のＤａｔａ信号を復調する（ステップＳ７０２）。【０１９９】
また、伝搬路応答推定部１０は、受信アンテナ１３が受け取った信号波形と予め局２が保有しているパイロットシンボルとの相互相関を演算することにより伝搬路応答を推定し、その推定結果を信号電力対干渉電力比２推定部１５に対して通知する（ステップＳ７０３）。信号電力対干渉電力比２推定部１５は伝搬路応答推定結果を基に実施の形態１７と同様にして第２の信号電力対干渉電力比（信号電力対干渉電力比２）を算出（推定）し、この推定した信号電力対干渉電力比２を変調条件選択部１１に対して通知する（ステップＳ７０４）。また、信号電力対干渉電力比１推定部１６は、受信アンテナ１３が受け取った信号内の複数のパイロットシンボル"Pilot"を基に実施の形態１７と同様にして第１の信号電力対干渉電力比（信号電力対干渉電力比１）を推定し、この推定した信号電力対干渉電力比１を変調条件選択部１１に対して通知する（ステップＳ７１２）。変調条件選択部１１は、信号電力対干渉電力比１推定部１６から通知された信号電力対干渉電力比１と信号電力対干渉電力比２推定部１５から通知された信号電力対干渉電力比２を用いて、相手の局１が次回の送信時に使用するべき第５の伝送パラメータを決定し、相手の局１に伝えるために、まず変調部２９に対して通知する（ステップＳ７０６）とともに伝送パラメータ記憶部２８に記憶する（ステップＳ７１０）。【０２００】
変調部２９は、予め決められていて、局２が保有している第３の伝送パラメータを用いてＧＩおよびＤａｔａを含む情報データ系列を変調する（ステップＳ７０７）。【０２０１】
変調部２９は、さらに変調した情報データ系列に、予め保有している、上記第１のパイロットシンボルと同じ内容の第２のパイロットシンボルを第１のパイロットシンボルとして付加し、さらに上記第５の伝送パラメータを付加してバーストを作成する（ステップＳ７２１）。こうして作成されたバーストをアンテナ１４より無線伝送路に出力する（ステップＳ７０９）。【０２０２】
このバーストは無線伝送路を伝搬して局１に到達する。【０２０３】
局１において、復調部８は、受信アンテナ１３が受信した信号（バースト）から、変調されたＤａｔａ信号を抽出し、この抽出されたＤａｔａ信号を局１が予め保有する、上記第３の伝送パラメータと同じ内容の第４の伝送パラメータを用いて復調する（ステップＳ７０２）。【０２０４】
一方、伝送パラメータ推定部２６は、受信アンテナ１３が受け取った局２からの信号（バースト）から、第５の伝送パラメータを抽出し、この抽出された第５の伝送パラメータを変調部２９に対して通知する（ステップＳ７０８）。【０２０５】
変調部２９は、通知された第５の伝送パラメータを用いてＧＩおよびＤａｔａを含む情報データ系列を変調する（ステップＳ７０７）。変調部２７は、さらに変調した情報データ系列に、予め保有する、上記第１のパイロットシンボルと同じ内容の第３のパイロットシンボルを第１のパイロットシンボルとして付加してバーストを作成する（ステップＳ７２１）。こうして作成されたバーストをアンテナ１４より無線伝送路に出力する（ステップＳ７０９）。このアンテナより出力されたバーストには、第１のパイロットシンボルや第５の伝送パラメータによって変調されたＤａｔａが含まれているが、相手局が使用するべき伝送パラメータは含まれていない。これにより、バースト伝送の高速化を図ることができる。そしてアンテナより出力された信号は無線伝送路を伝搬して局２に到達する。そして、局２において再び上記と同じ動作を行う。以降は局１と局２との間で以上の動作を繰り返す。【０２０６】
この実施の形態１８によれば、実施の形態１７の効果に加えて、局１から局２へ相手局が使用するべき伝送パラメータを伝送しないので、実施の形態１７に比べてバースト伝送の高速化を図ることができる。【０２０７】
なお、各実施の形態においてバーストフォーマットの例を示したが、これに限るものではない。例えば、図１１において、"伝搬路応答推定結果"と"用いられた伝送パラメータ"の位置が入れ替わってもよい。【０２０８】
以上、説明したとおり、本発明によれば、ＯＦＤＭ変調方式において、推定された信号電力対干渉電力比１と信号電力対干渉電力比２に応じて、変調条件（変調方式、符号化率、情報伝送速度等）を適応的に変更するので、従来と比較して、システムスループット、パケットエラー特性の少なくともいずれか１つ以上を向上させることができる、という効果を奏する。【０２０９】
また、伝播路応答推定部は、受信信号波形と既知パイロットシンボルとの相互相関値と閾値を比較し、閾値よりも大きい相互相関値を出力することにより、ノイズ成分を軽減できるので、伝播路応答をより正確に推定でき、これにより正確な信号電力対干渉電力比２を得ることで、さらに正確な変調方式等の選択が可能になる、という効果を奏する。【０２１０】
また、遅延量がガードインターバル長を超える遅延波に含まれる自シンボルによるシンボル間干渉成分を干渉の指標に含めるようにしたので、さらに正確な伝送パラメータの選択が可能である、という効果を奏する。【０２１１】
また、先行波の信号電力と遅れがガードインターバル長以内の遅延波の信号電力とから成る合成信号電力に、遅れがガードインターバル長を超えた遅延波に含まれる自シンボルの信号電力を追加することにより、より正確な信号電力が得られるので、上記よりさらに正確な伝送パラメータの選択が可能になるという効果を奏する。【０２１２】
また、保存された伝送パラメータを用いて、受信アンテナが受け取った信号を復調するので、より確実に復調ができ、また、当該伝送パラメータを伝送する必要がないため、伝送速度の高速化を図ることができる、という効果を奏する。【０２１３】
また、受信信号に含まれるパイロットシンボルを用いて他セルからの信号や自セル内の他端末からの信号やノイズ等に基づく干渉信号を推定し、この干渉信号と所望信号とに基づいて信号電力対干渉電力比１を推定し、この推定した信号電力対干渉電力比１により適用する変調方式などの伝送パラメータを決定するようにしたので、他セルからの干渉信号等により受信感度が劣化し、通信断となる事態を回避することができる、という効果を奏する。【０２１４】
また、予め決められた変調方式を含む第１の伝送パラメータ用いて変調された情報データ系列を有する信号をネットワークから受信し、この受信した信号から上記情報データ系列を抽出し、予め保有する、上記第１の伝送パラメータと同じ第２の伝送パラメータを用いて上記抽出した情報データ系列を復調するようにしたので、少なくとも一方の局は相手局へ上記第２の伝送パラメータを伝送しないので、バースト伝送の高速化を図ることができる。
【産業上の利用可能性】
【０２１５】
以上のように、本発明は、ＯＦＤＭ変復調方式において推定された信号電力対干渉電力比１と信号電力対干渉電力比２に応じて、変調条件（変調方式、符号化率、情報伝送速度等）を適応的に変更するので、伝搬路環境推定の分野に適用される。
【図１】
2006092899.tif 000009
【図２】
2006092899.tif 000010
【図３】
2006092899.tif 000011
【図４】
2006092899.tif 000012
【図５】
2006092899.tif 000013
【図６】
2006092899.tif 000014
【図７】
2006092899.tif 000015
【図８】
2006092899.tif 000016
【図９】
2006092899.tif 000017
【図１０】
2006092899.tif 000018
【図１１】
2006092899.tif 000019
【図１２】
2006092899.tif 000020
【図１３】
2006092899.tif 000021
【図１４】
2006092899.tif 000022
【図１５】
2006092899.tif 000023
【図１６】
2006092899.tif 000024
【図１７】
2006092899.tif 000025
【図１８】
2006092899.tif 000026
【図１９】
2006092899.tif 000027
【図２０】
2006092899.tif 000028
【図２１】
2006092899.tif 000029
【図２２】
2006092899.tif 000030
【図２３】
2006092899.tif 000031
【図２４】
2006092899.tif 000032
【図２５】
2006092899.tif 000033
【図２６】
2006092899.tif 000034
【図２７】
2006092899.tif 000035
【図２８】
2006092899.tif 000036
【図２９】
2006092899.tif 000037
【図３０】
2006092899.tif 000038
【図３１】
2006092899.tif 000039
【図３２】
2006092899.tif 000040
【図３３】
2006092899.tif 000041
【図３４】
2006092899.tif 000042
【図３５】
2006092899.tif 000043
【図３６】
2006092899.tif 000044
【図３７】
2006092899.tif 000045
【図３８】
2006092899.tif 000046
【図３９】
2006092899.tif 000047
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
通信システム内で相手局と無線通信を行う通信装置であり、
上記通信システム内の伝送信号中のノイズ成分を少なくとも含む干渉成分を用いた信号電力と干渉電力の比である第１の信号電力対干渉電力比を取得する第１の手段と、
上記通信システム内の信号伝搬路の遅延波による干渉成分を用いた信号電力と干渉電力の比である第２の信号電力対干渉電力比を取得する第２の手段と、
上記第１の手段と第２の手段がそれぞれ取得した第１の信号電力対干渉電力比と第２の信号電力対干渉電力比の少なくとも一方とから、上記通信システム内に送信される送信データの変調に適用する伝送パラメータを決定する変調条件選択手段と、
を備えることを特徴とする通信装置。
【請求項２】
上記第１の手段は、伝送信号中のパイロットシンボルを用いて算出される第１の信号電力対干渉電力比を取得し、
上記第２の手段は、信号伝搬路の伝搬路応答を用いて算出される第２の信号電力対干渉電力比を取得する
ことを特徴とする請求項１に記載の通信装置
【請求項３】
上記第１の手段は、上記相手局が送信した相手局送信信号に含まれるパイロットシンボルを用いて第１の信号電力対干渉電力比を取得し、
上記第２の手段は、上記相手局が送信した相手局送信信号から推定した伝搬路応答を用いて第２の信号電力対干渉電力比を取得し、
上記変調条件選択手段は、上記第１の手段と第２の手段がそれぞれ取得した第１の信号電力対干渉電力比と第２の信号電力対干渉電力比との少なくとも一方から、自局が送信する自局送信信号に含まれる自局送信データの変調に適用する自局伝送パラメータを決定する、
ことを特徴とする請求項１に記載の通信装置。
【請求項４】
上記第１の手段は、上記相手局が当該通信装置が送信した自局送信信号から抽出して当該通信装置に対して送信したパイロットシンボルを用いて第１の信号電力対干渉電力比を取得し、
上記第２の手段は、上記相手局が上記自局送信信号から推定し当該通信装置に対して送信した伝搬路応答を用いて第２の信号電力対干渉電力比を取得し、
上記変調条件選択手段は、上記第１の手段と第２の手段がそれぞれ取得した第１の信号電力対干渉電力比と第２の信号電力対干渉電力比との少なくとも一方から、自局が送信する自局送信信号に含まれる自局送信データの変調に適用する自局伝送パラメータを決定する、
ことを特徴とする請求項１に記載の通信装置。
【請求項５】
上記第１の手段は、上記相手局が当該通信装置が送信した自局送信信号から抽出して当該通信装置に対して送信したパイロットシンボルを用いて第１の信号電力対干渉電力比を取得し、
上記第２の手段は、上記相手局が上記自局送信信号を用いて求めた伝搬路応答により推定し当該通信装置に対して送信した第２の信号電力対干渉電力比を上記相手局が送信した相手局送信信号から抽出し、
上記変調条件選択手段は、上記第１の手段と第２の手段がそれぞれ取得した第１の信号電力対干渉電力比と第２の信号電力対干渉電力比との少なくとも一方から、自局が送信する自局送信信号に含まれる自局送信データの変調に適用する自局伝送パラメータを決定する、
ことを特徴とする請求項１に記載の通信装置。
【請求項６】
上記第１の手段は、上記相手局が当該通信装置が送信した自局送信信号から抽出したパイロット信号を用いて算出して当該通信装置に対して送信した第１の信号電力対干渉電力比を上記相手局から受信した受信信号から抽出し、
上記第２の手段は、上記相手局が上記自局送信信号から推定し当該通信装置に対して送信した伝搬路応答を用いて第２の信号電力対干渉電力比を取得し、
上記変調条件選択手段は、上記第１の手段と第２の手段がそれぞれ取得した第１の信号電力対干渉電力比と第２の信号電力対干渉電力比との少なくとも一方から、自局が送信する自局送信信号に含まれる自局送信データの変調に適用する自局伝送パラメータを決定する、
ことを特徴とする請求項１に記載の通信装置。
【請求項７】
上記第１の手段は、上記相手局が当該通信装置が送信した自局送信信号から抽出したパイロット信号を用いて算出して当該通信装置に対して送信した第１の信号電力対干渉電力比を上記相手局が送信した相手局送信信号から抽出し、
上記第２の手段は、上記相手局が上記自局送信信号を用いて求めた伝搬路応答により推定し当該通信装置に対して送信した第２の信号電力対干渉電力比を上記相手局送信信号から抽出し、
上記変調条件選択手段は、上記第１の手段と第２の手段がそれぞれ取得した第１の信号電力対干渉電力比と第２の信号電力対干渉電力比との少なくとも一方から、自局が送信する自局送信信号に含まれる自局送信データの変調に適用する自局伝送パラメータを決定する、
ことを特徴とする請求項１に記載の通信装置。
【請求項８】
上記第１の手段は、上記相手局が送信した相手局送信信号中のパイロットシンボルを用いて第１の信号電力対干渉電力比を取得し、
上記第２の手段は、上記相手局が送信した相手局送信信号に基づく伝搬路応答を用いて第２の信号電力対干渉電力比を取得し、
上記変調条件選択手段が上記第１の信号電力対干渉電力比と第２の信号電力対干渉電力比との少なくとも一方から決定した伝送パラメータを、上記相手局が送信する相手局送信データの変調に適用すべき相手局伝送パラメータとして上記相手局に送信する相手局伝送パラメータ送信手段を備える、
ことを特徴とする請求項１に記載の通信装置。
【請求項９】
上記決定した自局伝送パラメータを送信する自局伝送パラメータ送信手段を備え、
該自局伝送パラメータ送信手段は上記自局伝送パラメータを、
当該通信装置が送信する自局送信データを受信し該自局送信データを上記送信された自局伝送パラメータに基づき復調する相手局、に送信する
ことを特徴とする請求項１〜８のいずれかに記載の通信装置。
【請求項１０】
上記相手局が送信する相手局送信データの変調に適用するために相手局が保有する相手局保有伝送パラメータ、と同じ自局保有伝送パラメータを保有し、該自局保有伝送パラメータを用いて上記相手局が送信した相手局送信データを復調する復調手段を備える
ことを特徴とする請求項１〜８のいずれかに記載の通信装置。
【請求項１１】
上記変調方式選択手段が決定した伝送パラメータを記憶する伝送パラメータ決定手段を備え、
該記憶された伝送パラメータを用いて上記相手局が送信した相手局送信データを復調する復調手段を備える
ことを特徴とする請求項１〜８のいずれかに記載の通信装置。
【請求項１２】
上記伝送パラメータには、変調方式、符号化率、情報伝送速度、のうちの少なくとも１つを含むことを特徴とする請求項１〜請求項１１のいずれかに記載の通信装置。
【国際調査報告】
2006092899.tif 000048
2006092899.tif 000049